(57)【要約】【課題】コンテンツブラウザが起動するまでの時間を有効に活用する。【解決手段】同時刻に視聴可能な複数のサービスから視聴者が希望するサービスの選択を支援するコンテンツブラウザを前記視聴者の操作により起動し、前記コンテンツブラウザが生成するブラウザ映像を映像表示装置に表示させる映像受信装置であって、前記ブラウザ映像を表示させるまでの間に動画コンテンツＶ１を第一態様で表示させ、所定の条件を満たすと、前記第一態様とは異なる第二態様で前記動画コンテンツＶ２を前記ブラウザ映像と共に表示させる映像処理部を備える映像受信装置。【選択図】図１
2017121033.tif 000002
【特許請求の範囲】
【請求項１】
視聴者が複数のサービスから希望するサービスを選択することを支援するコンテンツブラウザを前記視聴者の操作により起動し、前記コンテンツブラウザが生成するブラウザ映像を映像表示装置に表示させる映像受信装置であって、
前記ブラウザ映像を表示させるまでの間に動画コンテンツを第一態様で表示させ、所定の条件を満たすと、前記第一態様とは異なる第二態様で前記動画コンテンツを前記ブラウザ映像と共に表示させる映像処理部を備える
映像受信装置。
【請求項２】
前記映像処理部は、
前記第一態様として前記映像表示装置の画面の一部に前記動画コンテンツを表示させる請求項１に記載の映像受信装置。
【請求項３】
前記映像処理部は、
前記第一態様で表示される前記動画コンテンツと共に前記コンテンツブラウザに関する情報を表示させる
請求項１に記載の映像受信装置。
【請求項４】
前記映像処理部は、
前記情報を前記動画コンテンツ以外の部分に表示させる
請求項３に記載の映像受信装置。
【請求項５】
前記映像処理部は、
前記動画コンテンツを第一態様で表示させる際に前記動画コンテンツの音声を出力させ、ブラウザ映像に遷移した後も前記音声の続きを出力させる
請求項１に記載の映像受信装置。
【請求項６】
前記コンテンツブラウザは、
第二態様で前記動画コンテンツを表示させる場合、他のサービスの縮小映像と同一画面に同時に表示する許可が得られていない第一サービスの縮小映像を表示させない
請求項１に記載の映像受信装置。
【請求項７】
前記映像処理部は、
前記所定の条件を満たすと、前記第二態様で表示される前記動画コンテンツを指示するカーソルを表示させる
請求項１に記載の映像受信装置。
【請求項８】
前記映像処理部は、
前記第二態様で表示される前記動画コンテンツが終了すると、前記動画コンテンツを指示していたカーソルを所定の第二条件に従って移動させる
請求項７に記載の映像受信装置。
【請求項９】
前記映像処理部は、
ポータルサーバ、または、動画配信サーバから入手した前記第二条件に従って移動させる
請求項８に記載の映像受信装置。
【請求項１０】
前記映像処理部は、
前記動画コンテンツを指示していたカーソルが他の場所に移動すると、前記動画コンテンツを表示していた領域に、動画コンテンツを表示させる領域であることを示すアイコンを表示させる
請求項７に記載の映像受信装置。
【請求項１１】
視聴者の操作により、同時刻に視聴可能なサービスを示すアイコン映像の一覧に基づき前記視聴者のサービスの選択を支援するコンテンツブラウザを起動して前記アイコン映像の一覧を含むブラウザ映像を映像表示装置に表示させる映像受信装置の映像表示方法であって、
前記ブラウザ映像を表示させるまでの間に動画コンテンツを第一態様で表示させ、
所定の条件を満たすと、前記第一態様とは異なる第二態様で前記動画コンテンツを前記ブラウザ映像と共に表示させる
映像表示方法。
【発明の詳細な説明】
【技術分野】
【０００１】
本開示は、複数のサービスから１つのサービスを選択させるための選局サービスであるコンテンツブラウザの画面を表示させることができる映像受信装置および映像表示方法に関する。
【背景技術】
【０００２】
特許文献１には、デジタル放送を受信可能なテレビ受信装置の電源がオンとなった後、または、選局チャンネルが変更された後に、放送サービスが表示されるまでの期間を活用して、広告コンテンツを表示させる技術が記載されている。
【先行技術文献】
【特許文献】
【０００３】
【特許文献１】特開２００９−１３０９０１号公報
【発明の概要】
【発明が解決しようとする課題】
【０００４】
本開示は、コンテンツブラウザが起動するまでの時間を無駄にすることなく視聴者に情報を提示可能な映像受信装置および映像表示方法を提供する。
【課題を解決するための手段】
【０００５】
本開示における映像受信装置は、視聴者が複数のサービスから希望するサービスの選択を支援するコンテンツブラウザと、映像処理部とを備える。コンテンツブラウザは、視聴者の操作により起動される。コンテンツブラウザは、ブラウザ映像を生成し、生成されたブラウザ映像を映像表示装置に表示させる。映像処理部は、ブラウザ映像を表示させるまでの間に動画コンテンツを第一態様で表示させ、所定の条件を満たすと、第一態様とは異なる第二態様で動画コンテンツをブラウザ映像と共に表示させる。
【発明の効果】
【０００６】
本開示における映像受信装置および映像表示方法は、コンテンツブラウザが起動するまでの時間を無駄にすることなく視聴者に情報を提示することができる。
【図面の簡単な説明】
【０００７】
【図１】図１は、実施の形態における映像受信装置と、放送局、ポータルサーバおよびＴＶとの関係を示す図である。
【図２Ａ】図２Ａは、実施の形態における映像受信装置の構成の一例を示すブロック図である。
【図２Ｂ】図２Ｂは、実施の形態における仕様情報の一例を示す図である。
【図３】図３は、実施の形態における放送局の構成の一例を示すブロック図である。
【図４Ａ】図４Ａは、実施の形態におけるポータルサーバの構成の一例を示すブロック図である。
【図４Ｂ】図４Ｂは、実施の形態にかかるマッピング情報の一例を示す図である。
【図４Ｃ】図４Ｃは、実施の形態における動画配信サーバの構成の一例を示すブロック図である。
【図５Ａ】図５Ａは、実施の形態における通常モードのＳＴＢから出力された映像が表示されるＴＶの一例を示す図である。
【図５Ｂ】図５Ｂは、実施の形態における第一態様の動画コンテンツが表示されたＴＶの一例を示す図である。
【図５Ｃ】図５Ｃは、実施の形態における第二態様の動画コンテンツと共にブラウザ映像が表示されたＴＶの一例を示す図である。
【図５Ｄ】図５Ｄは、実施の形態における第二態様の動画コンテンツを指示するカーソルが表示されたＴＶの一例を示す図である。
【図５Ｅ】図５Ｅは、実施の形態における動画コンテンツ表示終了後のカーソルが表示されたＴＶの一例を示す図である。
【図６Ａ】図６Ａは、実施の形態における第一態様の動画コンテンツの表示にかかる手順を示すフローチャートである。
【図６Ｂ】図６Ｂは、実施の形態におけるブラウザ映像の表示にかかる手順を示すフローチャートである。
【図６Ｃ】図６Ｃは、実施の形態におけるカーソルの表示と移動にかかる手順を示すフローチャートである。
【図７】図７は、実施の形態におけるテンプレート映像の一例を示す図である。
【図８Ａ】図８Ａは、実施の形態における縮小映像群の一例を示す図である。
【図８Ｂ】図８Ｂは、実施の形態における縮小映像群に含まれる複数の縮小映像とその貼付領域との関係を示す図である。
【図９】図９は、実施の形態におけるブラウザ映像および音声の取得方法の処理手順の一例を示すフローチャートである。
【図１０Ａ】図１０Ａは、実施の形態における第一ブラウザ映像の一例を示す図である。
【図１０Ｂ】図１０Ｂは、実施の形態における第一ブラウザ映像の他の一例を示す図である。
【図１０Ｃ】図１０Ｃは、実施の形態における第二ブラウザ映像の一例を示す図である。
【図１０Ｄ】図１０Ｄは、実施の形態における第二ブラウザ映像の他の一例を示す図である。
【図１１】図１１は、変形例１における１ページ目のブラウザ映像の一例を示す図である。
【図１２Ａ】図１２Ａは、変形例１における２ページ目以降のブラウザ映像の一例を示す図である。
【図１２Ｂ】図１２Ｂは、変形例１における２ページ目以降のブラウザ映像の他の一例を示す図である。
【図１３】図１３は、変形例２における仕様変更後の第一ブラウザ映像の一例を示す図である。
【図１４】図１４は、変形例２における仕様変更後の仕様情報の一例を示す図である。
【図１５】図１５は、他の実施の形態における縮小映像群の一例を示す図である。
【発明を実施するための形態】
【０００８】
視聴可能なサービスの数が多い場合、従来のＥＰＧ（Ｅｌｅｃｔｒｏｎｉｃ  Ｐｒｏｇｒａｍ  Ｇｕｉｄｅ、電子番組表）のように、文字によりサービス各々の内容を記載する方法では、視聴者が直感的かつ容易にサービスの内容を知ることができないという問題がある。
【０００９】
これに対し、複数のサービスの縮小された映像（以下、適宜「縮小映像」と称する）を１つの画面上で表示することが考えられる。動画の場合、視聴者は直感的にかつ一度に多数のサービスの内容を知ることが可能になる。
【００１０】
しかしながら、複数のサービスの縮小映像が同一画面に同時に表示される場合、各々の映像の権利者から、他の映像と同時に表示することに対する許可を受ける必要がある。これは、許可が得られないサービスの縮小映像を他のサービスの縮小映像と同一画面に同時に表示することにより、法的な問題が生じる恐れがあるためである。このことから、視聴可能なサービスの中に、他の映像と同時に表示する許可を得られていないサービスが混在する場合、コンテンツブラウザによって多くのサービスの縮小映像を視聴者に提示することが難しくなる。
【００１１】
そこで、他のサービスの縮小映像と同一画面に同時に表示する許可が得られていないサービスと得られているサービスとが混在する場合においても、上記許可に応じた選局サービスを提供することができる映像受信装置について別途出願している。これにより、法的な問題を回避しつつ、より多くの縮小映像を視聴者に提示することができる。
【００１２】
ところが、例えば上述の複雑な選局サービスを実現するためのコンテンツブラウザは、必要とされる情報処理量が増大しがちである。このため、視聴者がコンテンツブラウザを起動する操作をしてから、縮小映像が表示されるまでに時間がかかり、視聴者に待ち時間が生じる。
【００１３】
本開示の映像受信装置および映像表示方法によれば、このような待ち時間を活用した選局サービスを提供できる。
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、発明者は、当業者が本開示を十分に理解するために添付図面および以下の説明を提供するのであって、これらによって特許請求の範囲に記載の主題を限定することを意図するものではない。
【００１６】
（実施の形態）
以下、実施の形態の映像受信装置および映像表示方法について、図１〜図１０Ｄを用いて説明する。
【００１７】
本実施の形態の映像受信装置は、同時刻に視聴可能なサービスを示すブラウザ映像を映像表示装置に表示させる。コンテンツブラウザは、サービスを視聴中の視聴者の操作により起動され、同時刻に視聴可能なサービスを示すアイコン映像の一覧に基づき、視聴者が視聴するサービスを選択することを支援する。本実施の形態の場合、コンテンツブラウザは、複数の第一サービスおよび複数の第二サービスを含む複数のサービスから１つのサービスを選択させるための選局サービスを提供する。すなわち、他の映像と同時に表示することが認められているサービスと、認められていないサービスとが混在していても利用できる選局サービスを提供する。
【００１８】
なお、第一サービスは、縮小映像を他のサービスの縮小映像と同一画面に同時に表示する許可が得られていないサービスであり、第二サービスは、当該許可が得られたサービスであるとして以下説明するが、サービスの種類は特に限定されるものではない。また、第一サービスの縮小映像と第二態様の動画コンテンツとを同時に表示するコンテンツブラウザを説明するが、これに限定されるものではない。例えば、第一サービスの権利者が、第一サービスの映像と動画コンテンツとを同時に表示することも許可していない場合、第一サービスの縮小映像と動画コンテンツを同時に表示しないものとすることも可能である。すなわち、動画コンテンツが表示される時は第一サービスの縮小映像を表示せず、また、第一サービスの縮小映像が表示される時は動画コンテンツを表示しないものとすることが可能である。また、第二サービスは、動画コンテンツと同時に縮小映像を表示することを認めているサービスとして説明する。動画コンテンツは、第一サービスおよび第二サービスのいずれとも関係のない映像であってもよく、典型的には広告動画（広告コンテンツ）などである。
【００１９】
本実施の形態の映像受信装置のコンテンツブラウザは、カーソルにより示されるサービスが、第一サービスであるか第二サービスであるかに応じて、第一ブラウザ映像および第二ブラウザ映像の何れかを提供する。
【００２０】
ここで、コンテンツブラウザとは、図５Ｃに示すように、ＴＶ６０に縮小映像などを含むブラウザ映像を表示させ、視聴者によるサービス選択を支援するソフトウェアである。コンテンツブラウザは、サービスの縮小映像、動画コンテンツやアイコン映像からブラウザ映像を生成する。視聴者は、ＴＶ６０に表示されたブラウザ映像に示されたカーソルを操作し、カーソルにより示されたサービスや動画コンテンツ、アイコン映像を選択する。
【００２１】
例えば、カーソルにより示されるサービスが第一サービスである場合は、当該第一サービスの縮小映像（以下、「第一縮小映像」と略称する）が表示される間、他のサービスの縮小映像を表示しない第一ブラウザ映像が提供される。カーソルにより示されるサービスが第二サービスである場合は、同一画面に同時に１または複数の第二サービスの縮小映像（以下、「第二縮小映像」と略称する）を表示する第二ブラウザ映像が提供される。これにより、上記許可に応じたコンテンツブラウザの提供が可能になる。また、カーソルを操作している状態でも動画コンテンツは第二態様（詳細は後述）で表示されている。
【００２２】
［１．全体構成］
先ず、本実施の形態の映像受信装置、および、その周辺装置の構成について、図１〜図４Ｃを基に説明する。本実施の形態では、映像受信装置が、有線放送の放送波を受信するＳＴＢ（Ｓｅｔ  Ｔｏｐ  Ｂｏｘ、セットトップボックス）である場合を例に説明する。
【００２３】
図１は、映像受信装置およびその周辺装置の接続構成の一例を示す図である。図１では、映像受信装置の一例であるＳＴＢ２０、周辺装置の一例である放送局１０、ポータルサーバ３０、リモコン５０、ＴＶ（テレビジョン）６０、動画配信サーバ７０を示している。
【００２４】
なお、有線放送の放送波には、地上デジタル放送、および、ＣＳ（Ｃｏｍｍｕｎｉｃａｔｉｏｎ  Ｓａｔｅｌｌｉｔｅ）放送等が含まれる。
【００２５】
なお、以下に示す実施の形態では、特に記載しない場合、「映像」とは、動画のことを指し、一部に静止画を含む場合も含まれる。また、「画像」とは、静止画のことを指す。また、「映像」「画像」には音声は含まれていない。
【００２６】
［１−１．ＳＴＢ２０（映像受信装置）の構成］
ＳＴＢ２０は、放送局１０から放送波を受け付け、ＳＴＢ２０用のリモコン５０の操作に応じて、ＴＶ６０に提供するサービスの映像と音声とを出力する。また、ＳＴＢ２０は、インターネットあるいはイントラネット等のネットワーク４０を介して、ポータルサーバ３０、および、動画配信サーバ７０に接続されている。
【００２７】
図２Ａは、ＳＴＢ２０の構成の一例を示すブロック図である。ＳＴＢ２０は、図２Ａに示すように、制御部２１と、操作情報受信部２２と、放送波受信部２３と、通信部２４と、記憶部２５と、映像音声出力部２６と、動画調整部２７を備えている。
【００２８】
制御部２１は、ＳＴＢ２０を構成する各機能を制御する。制御部２１は、一般的には、ＣＰＵ（Ｃｅｎｔｒａｌ  Ｐｒｏｃｅｓｓｉｎｇ  Ｕｎｉｔ）または演算プロセッサ等で構成されており、ＣＰＵが記憶部２５に記憶された制御プログラムを実行することにより、ＳＴＢ２０を構成する各機能を制御する。
【００２９】
制御部２１は、リモコン５０の操作に応じて、第一サービスの映像および音声、第二サービスの映像および音声、または、ブラウザ映像をＴＶ６０に出力する。制御部２１は、リモコン５０の操作により、第一サービスまたは第二サービスが選択された場合は、後述する放送波受信部２３が放送波から取り出したサービスの映像および音声をＴＶ６０の画面全体に出力する（以下、これを「通常モード」と記載する場合がある）。制御部２１は、リモコン５０の操作により、コンテンツブラウザが選択されている場合は、コンテンツブラウザを起動してアイコン映像の一覧を含むブラウザ映像を生成し、当該ブラウザ映像をＴＶ６０に出力する。このとき、ブラウザ映像内には動画コンテンツが第二態様（詳細は後述）で表示されている。
【００３０】
なお、制御部２１と後述する映像音声出力部２６と動画調整部２７とで、動画コンテンツやブラウザ映像をＴＶ６０（映像表示装置）に出力する映像処理部を構成している。ブラウザ映像は、後で詳述するが、複数の第一表示領域と、複数の第二表示領域と、動画コンテンツが第二態様で表示される領域と、これらの領域のうちの１つを指し示すカーソルとが含まれている。第一表示領域には、対応する第一サービスの映像が縮小された第一縮小映像が表示される。第二表示領域には、対応する第二サービスの映像が縮小された第二縮小映像が表示される。
【００３１】
操作情報受信部２２は、本実施の形態では、赤外線通信部を有し、後で説明するリモコン５０から赤外線通信により、押下されたキーを示す信号を受け付ける。操作情報受信部２２は、受信した信号により示されるキーの情報を制御部２１に出力する。
【００３２】
放送波受信部２３は、周辺装置の一例である放送局１０から縮小映像群および多重化音声を受け付けるサービス受信部の一例である。放送波受信部２３は、放送波から、制御部２１により指示されたサービスの映像および音声をデコードするチューナを備えている。なお、１つのチューナが放送波から同時刻に取り出せるのは、１つのサービスの映像と音声である。放送波受信部２３は、抽出した映像および音声を、制御部２１に出力する。
【００３３】
通信部２４は、ネットワーク４０を介して、ポータルサーバ３０、または、動画配信サーバ７０との間でネットワーク通信を行う。
【００３４】
記憶部２５は、制御部２１の処理で用いられる一時的なデータを記憶するＲＡＭ（Ｒａｎｄｏｍ  Ａｃｃｅｓｓ  Ｍｅｍｏｒｙ）、制御プログラム等が格納されたＲＯＭ（Ｒｅａｄ  Ｏｎｌｙ  Ｍｅｍｏｒｙ）、および、サービスの録画に用いられるハードディスク等の記憶素子を備えて構成されている。
【００３５】
記憶部２５には、ＳＴＢ２０を特定するための受信機ＩＤ２５ａ、コンテンツブラウザにおけるカーソルの位置情報２５ｂ、カーソルの映像であるカーソル映像２５ｃ、および、コンテンツブラウザの仕様を決定する仕様情報２５ｄが記憶されている。なお、本実施の形態では、記憶部２５がＳＴＢ２０に内蔵されている場合について説明するが、これに限るものではない。外部接続されたハードディスク等の記憶素子であっても構わないし、内蔵された記憶素子と外部接続された記憶素子とを組み合わせて用いても構わない。
【００３６】
カーソルの位置情報２５ｂは、本実施の形態では、ブラウザ映像に含まれる複数のアイコン映像や動画コンテンツが表示されている領域の一つを示す情報である。カーソルの位置情報２５ｂは、例えば、後述する図７の表示領域Ｒ００１、Ｒ１０１〜Ｒ１０７、Ｒ２０１〜Ｒ２１５で表わされる。カーソルは、基本的には、後述するリモコン５０の方向キーの１回の押下に対し、１つずつ表示領域を移動される。なお、カーソルの位置情報２５ｂは、座標、あるいは、基準点からの移動量等であっても構わない。カーソルの位置情報２５ｂは、ブラウザ映像の表示開始時に、複数の表示領域のうち、左上にある表示領域の位置に初期化される。その後、リモコン５０からカーソルの移動要求（方向キーが押されたことを示す信号）が送られてくる毎に、制御部２１は、カーソルの位置情報２５ｂを、リモコン５０から送信される移動要求に応じた位置に更新する。
【００３７】
カーソル映像２５ｃは、例えば、アイコン映像や動画コンテンツなどを囲む枠状の図形である。後で詳述するが、本実施の形態では、アイコン映像や動画コンテンツなどは大きさの異なる映像であるため、カーソル映像２５ｃもアイコン映像などの大きさに応じた大きさの長方形状の枠である。カーソル映像２５ｃは、ビットマップ等の形式の画像として記憶されていてもよいし、上記長方形の場合、長辺の長さおよび短辺の長さ、線の色および太さ等で示されていても良い。なお、カーソル映像２５ｃは、動画であってもよいし、静止画であってもよい。また、カーソル映像２５ｃの形状は、枠状の図形に限られず、カーソルの位置に応じて異なってもよい。
【００３８】
仕様情報２５ｄは、ブラウザ映像において、複数のサービスごとに、当該サービスの縮小映像を、複数の第一表示領域および複数の第二表示領域のうちのどの表示領域に表示するか、つまり、各サービスの縮小映像をどの位置に表示するかを示す情報である。また、動画コンテンツをどの位置に表示するかを示す情報を含んでいても良い。
【００３９】
図２Ｂは、本実施の形態における仕様情報２５ｄの一例を示す図である。図２Ｂに示すように、仕様情報２５ｄには、各サービスに固有に割り当てられたサービスＩＤと、各サービスのチャンネル名と、各サービスの縮小映像を表示する表示領域の位置を示す位置情報（以下、適宜「表示領域の位置情報」と略称する）とが含まれる。表示領域の位置情報は、後述する図７に示す第一表示領域Ｒ１０１〜Ｒ１０７、第二表示領域Ｒ２０１〜Ｒ２１５の位置情報に対応している。位置情報は、基点（例えば、左上角の座標）および縦方向および横方向の長さ（画素数）、あるいは、対角上の２つの角部の座標（例えば、左上角の座標と右下角の座標）等であっても構わない。
【００４０】
映像音声出力部２６は、ＴＶ６０とのインターフェイス部であり、映像および音声をＴＶ６０に対して出力する。
【００４１】
動画調整部２７は、ブラウザ映像を表示させるまでの間に動画コンテンツを第一態様で表示させ、所定の条件を満たすと、ブラウザ映像の一部に第一態様とは異なる第二態様の動画コンテンツの続きを表示させる処理部である。本実施の形態の場合、操作情報受信部２２がリモコン５０からのコンテンツブラウザを起動する旨の情報を受信すると、動画調整部２７は、動画配信サーバ７０から送信される動画コンテンツを第一態様でＴＶ６０に表示させる。動画コンテンツ、および、これに関連する音声を第一態様でＴＶ６０に出力するとき、他の視聴態様を中止させてもよい。他の視聴態様とは、例えば、放送波受信部２３が放送波から取り出したサービスの映像および音声をＴＶ６０の画面全体に出力する通常モードの視聴態様や、視聴予約画面などの視聴態様である。
【００４２】
また、所定の条件とは、操作情報受信部２２がコンテンツブラウザを起動する旨の情報を受信した後であって、コンテンツブラウザの起動完了でも良く、また、コンテンツ画像の生成の完了でも良い。また、所定の条件は、コンテンツブラウザが起動する時間よりも長い任意の時間の経過でもかまわない。
【００４３】
また、動画調整部２７は、第一態様で表示される動画コンテンツと重ねて、または、動画コンテンツとは別の位置にコンテンツブラウザに関する情報を表示させる。ここで、コンテンツブラウザに関する情報とは、コンテンツブラウザが起動するまでの時間、および、コンテンツブラウザが完全に起動するまでの到達率のすくなともいずれか一方や、これらと共に、または、単独で表示されるプログレスバーなどである。また、コンテンツブラウザに関する情報とは、所定の条件のなかの任意の時間までの経過時間や経過率、これらを示すプログレスバーであってもよい。
【００４４】
［１−２．放送局の構成］
放送局１０は、複数の第一サービスと、複数の第二サービスと、コンテンツブラウザを生成するための縮小映像群および多重化音声からなるサービスとを伝送する放送波を生成し、ＳＴＢ２０に出力する。
【００４５】
図３は、本実施の形態における放送局１０の構成の一例を示すブロック図である。放送局１０は、図３に示すように、放送設備１１と、チューナ部１２と、縮小映像群生成部１３と、音声多重化部１４と、混合部１５とを備えている。
【００４６】
放送設備１１は、複数の第一サービスおよび複数の第二サービスを含む第一放送波を生成する設備である。なお、放送設備１１は、１つの設備で構成されている必要は無い。
【００４７】
チューナ部１２は、複数のチューナを備えている。複数のチューナの各々は、例えば、第一放送波から、対応するサービスの映像および音声をデコードする。なお、チューナ部１２に含まれる複数のチューナの数は、第一サービスおよび第二サービスの総数、あるいは、ブラウザ映像の生成に用いるサービスの数と同じである必要はない。
【００４８】
縮小映像群生成部１３は、チューナ部１２から出力される複数のサービスの映像を用いて、複数の縮小映像で構成される縮小映像群を生成する。縮小映像群の詳細については後述する。
【００４９】
音声多重化部１４は、チューナ部１２を構成する複数のチューナから出力される複数のサービスの音声を多重化して、多重化音声を生成する。
【００５０】
混合部１５は、縮小映像群生成部１３により生成された縮小映像群と音声多重化部１４により生成された多重化音声とを混合して１つのサービスを生成する。さらに、混合部１５は、生成したサービスを放送設備１１から送信される第一放送波に重畳することにより、放送波を生成する。混合部１５は、放送波をＳＴＢ２０に送信する。
【００５１】
［１−３．ポータルサーバ３０の構成］
ポータルサーバ３０は、コンテンツブラウザの提供に必要な情報を記憶し、ＳＴＢ２０からの情報取得要求に応じて、情報取得要求が示す情報をＳＴＢ２０に出力するサーバである。ポータルサーバ３０は、一般的なネットワーク４０を介して、ＳＴＢ２０と通信可能に構成されている。
【００５２】
図４Ａは、本実施の形態におけるポータルサーバ３０の構成の一例を示すブロック図である。ポータルサーバ３０は、図４Ａに示すように、記憶部３１と、通信部３２とを備えている。
【００５３】
記憶部３１は、ＲＡＭ、ＲＯＭおよびハードディスク等で構成されており、本実施の形態では、マッピング情報３１ａ、契約情報３１ｂ、テンプレート映像３１ｃ、許可情報３１ｄ、アイコン映像群３１ｅおよびメニューアプリ３１ｆを記憶している。
【００５４】
マッピング情報３１ａは、複数のサービス別に、縮小映像群における当該サービスの縮小映像の位置（カーソルの位置に対応）を示す情報である。
【００５５】
図４Ｂは、本実施の形態にかかるマッピング情報３１ａの一例を示す図である。図４Ｂに示すように、マッピング情報３１ａには、サービスごとに、サービスの各々に固有に割り当てられたサービスＩＤと、チャンネル名と、縮小映像群内における当該サービスの縮小映像の位置を示す位置情報（以下、適宜「縮小映像の位置情報」と略称する）とが含まれる。縮小映像の位置情報は、後述する図８Ｂに示す縮小映像の貼付領域Ｌ１０１〜Ｌ１１１、Ｌ２０１〜Ｌ２１５の位置情報に対応している。位置情報は、例えば、基点（例えば、左上角の座標）および縦方向および横方向の長さ（画素数）、あるいは、対角上の２つの角部の座標（例えば、左上角の座標と右下角の座標）等であっても構わない。
【００５６】
さらに、マッピング情報３１ａには、当該チャンネルのネットワークＩＤおよびＴＳ（Ｔｒａｎｓｐｏｒｔ  Ｓｔｒｅａｍ、トランスポートストリーム）ＩＤ、サービスＩＤ等の選局情報、および、多重化音声から当該チャンネルに対応する音声を抽出するための音声情報が記憶されている。ネットワークＩＤは、地上デジタル放送、ＢＳ放送等のネットワーク種別を示しており、ＴＳＩＤおよびサービスＩＤは、サービス種別を示している。
【００５７】
契約情報３１ｂは、複数のサービスの各々について、視聴するための契約が必要な要契約サービスであるか否かを示す情報を含む。要契約サービスであるサービスについては、さらに、そのサービスが契約されているか未契約であるかを、受信機ＩＤ２５ａ別（視聴者別）に記憶している。
【００５８】
テンプレート映像３１ｃは、第一ブラウザ映像および第二ブラウザ映像のデザインを示す映像である。テンプレート映像３１ｃの詳細については後述する。
【００５９】
許可情報３１ｄは、複数のサービスの各々について、他のサービスと同一画面に同時に縮小映像を表示する許可が得られていない第一サービスであるか、当該許可が得られている第二サービスであるかを記憶している。本実施の形態では、説明のため、地上デジタル放送が第一サービスであり、ＣＳ放送が第二サービスである場合を例に説明するが、これに限るものではない。
【００６０】
アイコン映像群３１ｅは、複数のアイコン映像を含む。複数のアイコン映像は、第一縮小映像あるいは第二縮小映像を隠すためのアイコン映像が含まれる。アイコン映像は、例えば、各サービスのチャンネルを示す映像、あるいは、要契約サービスにおける未契約を示す映像が含まれている。アイコン映像は、図形または文字を含む映像であり、静止画であっても構わない。アイコン映像は、対応するサービスの縮小映像とは異なる映像である。アイコン映像は、例えば、対応するサービスの情報（サービス名、サービスあるいはサービスを提供する放送事業者のロゴ、放送事業者のキャラクター、チャンネル番号等）を示す文字または図形等であっても構わない。
【００６１】
メニューアプリ３１ｆは、録画一覧、予約一覧、ＥＰＧおよびホームページ等を表示するためのアプリケーションデータである。メニューアプリ３１ｆには、ゲーム等の他のアプリケーションデータが含まれていても構わない。
【００６２】
通信部３２は、ネットワーク４０を介して、ＳＴＢ２０の通信部２４との間で通信を行う。
【００６３】
［１−４．リモコンの構成］
リモコン５０は、ＳＴＢ２０を操作する機器である。リモコン５０の筐体表面には、本実施の形態では、コンテンツブラウザが割り当てられた選局キー、第一サービスまたは第二サービスが割り当てられたｃｈキー、上下左右の方向キー、確定キー、電源キー、録画キー等、複数のキーを備えて構成されている。リモコン５０には、筐体内部に、押下されたキーを検出するキー入力検出回路、および、検出されたキーを示す信号を赤外線通信により出力する赤外線通信部（図示せず）が設けられている。
【００６４】
［１−５．ＴＶの構成］
ＴＶ６０は、映像表示装置の一例であり、例えば、液晶テレビあるいは有機ＥＬテレビ等である。ＴＶ６０は、映像を表示する表示画面と音声を出力するスピーカ等の音声出力機器とを備えている。
【００６５】
ＴＶ６０は、ＳＴＢ２０からデコードされた映像信号および音声信号を受け付け、映像の表示および音声の出力を行う。
【００６６】
［１−６．動画配信サーバの構成］
動画配信サーバ７０は、広告主や放送事業者などから取得した動画コンテンツを記憶し、ＳＴＢ２０からの情報取得要求に応じ、または、逐次的に動画コンテンツをＳＴＢ２０などに出力するサーバである。動画配信サーバ７０は、一般的なネットワーク４０を介して、ＳＴＢ２０と通信可能に構成されている。
【００６７】
図４Ｃは、本実施の形態における動画配信サーバ７０の構成の一例を示すブロック図である。動画配信サーバ７０は、図４Ｃに示すように、記憶部７１と、通信部７２と、集計部７３とを備えている。
【００６８】
通信部７２は、ネットワーク４０を介して、ＳＴＢ２０の通信部２４との間で通信を行う。
【００６９】
集計部７３は、ネットワーク４０に接続される複数のＳＴＢ２０で出力された動画コンテンツに関する情報を通信部７２を介して取得し、動画コンテンツの種類毎に視聴回数を集計する処理部である。
【００７０】
記憶部７１は、ＲＡＭ、ＲＯＭおよびハードディスク等で構成されており、本実施の形態では、動画情報７１ａ、視聴回数７１ｂを記憶している。
【００７１】
動画情報７１ａは、複数の動画コンテンツ、および、動画コンテンツに紐付けられたＩＤ、広告主、商品カテゴリ、出力時間帯、ターゲット年齢層などを含む情報である。
【００７２】
視聴回数７１ｂは、集計部７３で集計された動画コンテンツの視聴回数を示す情報である。
【００７３】
［２．動作］
ＳＴＢ２０の動作について、図５Ａ〜図１０Ｄを基に説明する。ＳＴＢ２０は、通常モード、移行モード、待機モード、選局モードの他、録画モードおよびアプリモードを含む複数の動作モードで動作する。なお、録画モードにおける動作と他の動作モードにおける動作とは同時に実行可能である。
【００７４】
ＳＴＢ２０は、通常モードでは、受信した第一サービス、または、第二サービスをＴＶ６０の画面全体に表示されるように出力する。
【００７５】
ＳＴＢ２０は、移行モードでは、動画コンテンツを第一態様で出力する。
【００７６】
ＳＴＢ２０は、選局モードでは、第一サービスおよび第二サービスから１以上のサービスを選択させるための画面と第二態様の動画コンテンツを含むブラウザ映像をＴＶ６０に表示させる。
【００７７】
ＳＴＢ２０は、録画モードでは、コンテンツブラウザ、第一サービスおよび第二サービスを含む複数のサービスから選択された１または複数のサービスを録画する。
【００７８】
ＳＴＢ２０は、アプリモードでは、選択されたアプリケーションデータをポータルサーバ３０から取得して実行する。
【００７９】
［２−１．通常モード］
通常モードでは、ＳＴＢ２０は、放送波受信部２３のチューナを用いて、放送波から視聴するサービスの映像および音声を取得する。そしてＳＴＢ２０は、取得した映像および音声を映像音声出力部２６からＴＶ６０に出力する。この場合、ＳＴＢ２０は、図５Ａに示すように、ＴＶ６０の画面全体にサービスの映像が表示されるように映像を出力する。
【００８０】
これにより、ＴＶ６０の画面には、予め選択された第一サービス、または、第二サービスのいずれかに含まれるサービスの映像が表示される。また、ＴＶ６０のスピーカ（不図示）からは、表示された映像に合致した音声が出力される。
【００８１】
［２−２−１．移行モード］
移行モードでは、ＳＴＢ２０は、ブラウザ映像を表示するまでの間、動画配信サーバ７０から取得した特定の動画コンテンツを映像音声出力部２６からＴＶ６０に出力する。この場合、ＳＴＢ２０は、図５Ｂに示すように、第一態様の動画コンテンツＶ１が表示されるように映像を出力する。また、表示されている動画コンテンツＶ１に合致した音声を出力してもよい。
【００８２】
ここで、第一態様とは、通常モードとは異なるモードで映像が表示されていることを視聴者が認識できる態様である。例えば、図５Ｂに示すようにＴＶ６０の一部に矩形などの枠を設け、当該枠の中に動画コンテンツＶ１を表示させる態様である。他に、動画コンテンツＶ１をＴＶ６０の画面の一部に表示させる態様、動画コンテンツＶ１をＴＶ６０の全画面に表示させ、プログレスバーＰなどのコンテンツブラウザに関する情報を動画コンテンツに重ねて表示させる態様などが考えられる。
【００８３】
図６Ａは、移行モードにおける処理の流れを示すフローチャートである。
【００８４】
同図に示すように、ＳＴＢ２０は、ＳＴＢ２０の電源がＯＮの状態において、リモコン５０などの選局キーが押下され選局サービスが選択されると、移行モードに遷移する。なお移行モードの裏で選局モードに遷移するための準備（後述のＳ１０１〜Ｓ１０３：図６Ｂ参照）が始まる。
【００８５】
移行モードに遷移すると、動画調整部２７は、通信部２４を介して動画配信サーバ７０から動画コンテンツと音声とを取得する（Ｓ２０１）。
【００８６】
次に、制御部２１は、記憶部２５からソフトウェアを読み込んでコンテンツブラウザの起動を開始する（Ｓ２０２）。
【００８７】
次に、ＳＴＢ２０は、図５Ｂに示すように、第一態様の動画コンテンツＶ１をＴＶ６０に表示させる。同時に動画コンテンツＶ１に対応する音声を出力する。なお、動画コンテンツＶ１と共に、コンテンツブラウザの起動状態に関する情報であるプログレスバーＰを表示してもかまわない。
【００８８】
予め定めた条件を充足するかどうかが判断される（Ｓ２０４）。具体的に例えば、コンテンツブラウザが起動中（Ｓ２０４：ＮＯ）は第一態様の動画コンテンツＶ１を出力し続け、コンテンツブラウザの起動が完了した旨の情報を受信した場合（Ｓ２０４：ＹＥＳ）は次のステップに移行する。
【００８９】
なお、条件は選局サービスが選択されてからの時間、例えば選局サービスが選択されてから１分経過したことでもよい。また、条件は、コンテンツブラウザの起動完了から１０秒後などでもよい。
【００９０】
次のステップとして、図５Ｃに示すように、第二態様の動画コンテンツＶ２を出力し、同時に、動画コンテンツの音声の続き、および、ブラウザ映像を出力する（Ｓ２０５）。
【００９１】
なお、Ｓ２０４からＳ２０５への移行の間に、移行期間を含んでもよい。例えば、移行期間において、移行モードにおける画面のフェードアウトを表示し、その後、Ｓ２０５に移行してブラウザ映像を表示するようにしてもよい。本開示においては、移行期間は移行モードの一部またはブラウザ映像の一部とみなしてもよい。
【００９２】
また、上記の移行期間においては、必ずしも動画コンテンツを表示していなくてもよい。また、移行期間において動画コンテンツを表示していない場合でも、動画コンテンツの音声だけを継続していてもよい。
【００９３】
なお、ブラウザ映像の出力は、図６Ｂに示すＳ１０４が対応している（詳細は後述する）。
【００９４】
［２−２−２．待機モード］
図６Ｃは、待機モードにおける処理の流れを示すフローチャートである。
【００９５】
待機モードは、第二態様の動画コンテンツＶ２を出力する際のカーソルの遷移を制御するモードである。待機モードにおいては、ＳＴＢ２０は、図５Ｃに示す状態ではなく図５Ｄに示すように、第二態様の動画コンテンツＶ２を出力し、第二態様で表示される動画コンテンツＶ２を指示するカーソルＣを表示させる（Ｓ３０１）。本実施の形態の場合、図５Ｄに示すように、カーソルＣは、動画コンテンツＶ２の外周を囲う比較的太い枠状の画像である。カーソルＣの表示（Ｓ３０１）は、動画コンテンツＶ２の出力、動画コンテンツＶ２の音声の出力（図６ＡのＳ２０５参照）と並列に行われる。
【００９６】
次に、制御部２１は、第二条件を取得する（Ｓ３０２）。ここで、第二条件とはカーソルＣを動画コンテンツＶ２を指示する位置から移動すべき他の位置を示す情報である。第二条件は予め記憶部２５に記憶しておいた情報を第二条件として取得しても良い。また、通信部２４を介して動画配信サーバ７０、または、ポータルサーバ３０から取得してもよい。また、動画配信サーバ７０、または、ポータルサーバ３０は、出力している動画コンテンツＶ２に応じて送信する第二条件の内容を変更してもかまわない。さらに、第二条件は、Ｓ３０２の段階で取得する場合ばかりで無く、Ｓ３０１の段階以前に取得してもかまわない。
【００９７】
次に、リモコン５０の方向キーが押下された場合は（Ｓ３０３の「カーソルの移動」）ＳＴＢ２０は、押下された方向キーに応じて、カーソルＣを移動させる（Ｓ３０４）。また、リモコン５０の確定キーが押下された場合は（Ｓ３０３の「確定」）、動画コンテンツＶ２を第二態様よりも大きな態様（例えば全画面）で表示させ、当該フローから抜ける（Ｓ３０５）。一方、リモコン５０の操作がなければ（Ｓ３０３の「なし」）、次の段階に移行する。
【００９８】
次に、制御部２１は、動画コンテンツＶ２が終了しているか否かを判断する（Ｓ３０６）。動画コンテンツＶ２が終了していない場合（Ｓ３０６の「未終了」）、再度リモコン操作の確認（Ｓ３０３）に戻る。一方、動画コンテンツＶ２が終了している場合（Ｓ３０６の「終了」）、動画コンテンツＶ２を指示していたカーソルＣを取得した第二条件に従って例えば図５Ｅに示すような位置に移動させる（Ｓ３０８）。
【００９９】
ここで第二条件とは、例えば、ｉ）ブラウザ映像が表示される直前に放送されていたサービスであるラストｃｈを示す位置にカーソルを移動させる。ii）動画配信サーバ７０が動画コンテンツＶ２に関連しているとして指定したサービスの縮小映像が表示されている領域にカーソルＣを移動させる。iii）ポータルサーバ３０が推奨するサービスに関連する領域にカーソルＣを移動させる。iv）当初コンテンツブラウザを起動しようとしていた意図に関連する領域にカーソルＣを移動させる。などである。
【０１００】
次に、動画コンテンツＶ２を指示していたカーソルＣが他の場所に移動すると、動画コンテンツＶ２を表示していた領域Ｒ４に、図５Ｅに示すような動画コンテンツＶ２を表示させる領域であることを示すアイコン映像を表示させる（Ｓ３０８）。
【０１０１】
ここで、動画コンテンツＶ２を表示させる領域であることを示すアイコン映像とは、第二態様の動画コンテンツＶ２とは異なる動画または静止画などであり、例えば「メッセージ動画表示領域」などのテキストのみが示された画像などである。
【０１０２】
［２−３．選局モード］
図５Ｃは、本実施の形態におけるブラウザ映像が表示されたＴＶ６０の一例を示す図である。図６Ｂは、本実施の形態におけるブラウザ映像の表示にかかる手順を示すフローチャートである。
【０１０３】
［２−３−１．ブラウザ映像の生成に必要なデータの取得］
ＳＴＢ２０は、ＳＴＢ２０の電源がＯＮの状態において、選局キーが押下され選局サービスが選択されると、移行モードの裏で選局モードに移行する準備が始まる。このとき、制御部２１は、ブラウザ映像が表示される直前に放送されていたサービス（以下、適宜「ラストｃｈ」と称する）の情報を記憶部２５に記憶する。ラストｃｈの情報は、例えば、チャンネル番号である。
【０１０４】
ＳＴＢ２０は、選局モードに移行する準備が始まると、通信部２４を介してポータルサーバ３０からブラウザ映像の基となるテンプレート映像３１ｃ、マッピング情報３１ａ、契約情報３１ｂ、許可情報３１ｄおよびアイコン映像群３１ｅを取得する（Ｓ１０１）。
【０１０５】
図７は、本実施の形態におけるテンプレート映像３１ｃの一例を示す図である。図７に示すように、テンプレート映像３１ｃには、領域Ｒ０〜Ｒ３、および、第二態様の動画コンテンツを表示するコンテンツ領域Ｒ４が含まれている（図７の太線で囲まれた領域）。
【０１０６】
領域Ｒ０には、ラストｃｈの縮小映像が表示される１つの表示領域Ｒ００１が含まれている。
【０１０７】
領域Ｒ１には、同じ形状および大きさの第一表示領域Ｒ１０１〜Ｒ１０７が含まれている。第一表示領域Ｒ１０１〜Ｒ１０７の各々は、本実施の形態では、地上デジタル放送およびＢＳデジタル放送の縮小映像が表示される領域である。
【０１０８】
領域Ｒ２には、同じ形状および大きさの第二表示領域Ｒ２０１〜Ｒ２１５が含まれている。第二表示領域Ｒ２０１〜Ｒ２１５の各々は、本実施の形態では、ＣＳ放送の縮小映像が表示される領域である。なお、本実施の形態では、第二表示領域Ｒ２０１〜Ｒ２１５の形状および大きさは、第一表示領域Ｒ１０１〜Ｒ１０７の形状および大きさと同じである。
【０１０９】
なお、本実施の形態では、説明のため、地上デジタル放送およびＢＳ放送が第一サービス（当該サービスの縮小映像を他の縮小映像と同一画面上に同時に表示する許可が得られていないサービス）であり、ＣＳ放送が第二サービス（許可が得られたサービス）である場合を例に説明するが、これに限られるものではない。
【０１１０】
領域Ｒ３には、第三表示領域Ｒ３０１〜Ｒ３０９が含まれている。本実施の形態では、第三表示領域Ｒ３０１〜３０５は、予め設定されたメニューアプリを示すアイコン映像１３１〜１３５が表示される領域である。第三表示領域Ｒ３０６〜３０８は、視聴者が登録したメニューアプリを示すアイコン映像１３６〜１３８が表示される領域である。第三表示領域Ｒ３０９は、ＳＴＢ２０の提供企業を示すアイコン映像１３９が表示される領域である。
【０１１１】
なお、本実施の形態では、テンプレート映像３１ｃは、領域Ｒ３については予めアイコン映像が合成された状態となっている場合を例に説明するが、これに限るものではない。ＳＴＢ２０は、領域Ｒ３にアイコン映像が合成されていない状態のテンプレート映像３１ｃと、アイコン映像１３１〜１３９とを取得し、後述するステップＳ１０４のブラウザ映像の生成時に、ＳＴＢ２０がこれらのアイコン映像を合成するように構成しても構わない。
【０１１２】
より詳細には、第三表示領域Ｒ３０１には、「テレビを見る」、つまり、ブラウザ映像が表示される前の通常モードに戻るためのアイコン映像１３１が嵌め込まれている。第三表示領域Ｒ３０２には、録画一覧を表示させるためのアイコン映像１３２が嵌め込まれている。第三表示領域Ｒ３０３には、予約一覧を表示させるためのアイコン映像１３３が嵌め込まれている。第三表示領域Ｒ３０４には、番組表を表示させるためのアイコン映像１３４が嵌め込まれている。番組表は、例えば、ＥＰＧであり、コンテンツブラウザとは別のサービスである。第三表示領域Ｒ３０５には、ホームページ（ＳＴＢ２０を提供する会社のホームページ）を表示させるためのアイコン映像１３５が嵌め込まれている。
【０１１３】
第三表示領域Ｒ３０１〜３０９に表示されるアイコン映像１３１〜１３９の構成、つまり、所謂メニューアプリの数および種類等はこれに限られるものではない。
【０１１４】
また、領域Ｒ１〜Ｒ４の構成はこれに限られるものではない。各領域の大きさおよび形状、表示領域の数等は、任意に決定可能である。なお、以下の説明では、表示領域の位置を示すために、図７に示す表示領域Ｒ００１、Ｒ１０１〜Ｒ１０７、Ｒ２０１〜Ｒ２１５、Ｒ３０１〜Ｒ３０９を用いることがある。図７以外の図においては、表示領域に対応する符号が省略されることがあるが、図７において当該表示領域と同じ位置に示される表示領域に付された符号が対応する。
【０１１５】
ＳＴＢ２０は、放送波受信部２３のチューナを用いて、放送局１０から送信された放送波から、コンテンツブラウザを生成するためのデータ（縮小映像群および多重化音声）で構成されるサービスを取得する（Ｓ１０２）。
【０１１６】
図８Ａは、本実施の形態における縮小映像群ＳＤＶの一例を示す図である。図８Ｂは、本実施の形態における縮小映像群ＳＤＶに含まれる複数の縮小映像とその貼付領域との関係を示す図である。
【０１１７】
図８Ａに示す縮小映像群ＳＤＶには、複数の第一縮小映像と、複数の第二縮小映像とが含まれる。図８Ａでは、説明のため、各縮小映像の位置を、コンテンツブラウザの位置に対応させているが、必ずしも対応させる必要はない。
【０１１８】
図８Ａに示す縮小映像群ＳＤＶでは、第一縮小映像群１１０に含まれる第一縮小映像１１１〜１１７が、図８Ｂに示す貼付領域Ｌ１０１〜Ｌ１０７に貼付けられている。また、図８Ａに示す縮小映像群ＳＤＶでは、第二縮小映像群１２０に含まれる複数の第二縮小映像が、図８Ｂに示す貼付領域Ｌ２０１〜Ｌ２１５に貼付けられている。
【０１１９】
第二縮小映像１２１は、ここでは、視聴するための契約が必要な要契約サービスのうち、未契約のサービスの縮小映像である。後で詳述するが、当該縮小映像には、後述するブラウザ映像の生成において、当該縮小映像が表示されないように未契約であることを示すアイコン映像が上から合成されることになる。第二縮小映像１２２は、ここでは、要契約サービスのうち、契約済みのサービスの縮小映像である。第二縮小映像１２３は、視聴するための契約を必要としないサービスの縮小映像である。
【０１２０】
また、縮小映像群ＳＤＶは、図８Ａに示すような一つの映像ではなく、第一縮小映像群１１０および第二縮小映像群１２０がサービスと対応付けられた状態で個別に記憶されていても構わない。また、図８Ａでは、ＣＳ放送の数が第二表示領域Ｒ２０１〜Ｒ２１５の数以上であり、全ての第二表示領域Ｒ２０１〜Ｒ２１５に縮小映像が表示される場合を示しているが、一部に縮小映像が表示されない領域があっても構わない。
【０１２１】
ＳＴＢ２０は、ラストｃｈの縮小映像と音声とを取得する（Ｓ１０３）。ＳＴＢ２０は、ラストｃｈの縮小映像を縮小映像群から取得し、音声を多重化音声から取得しても構わない。縮小映像群からラストｃｈの縮小映像を取得する場合、制御部２１は、ステップＳ１０１においてポータルサーバ３０から取得したマッピング情報３１ａと、記憶部２５に記憶されたラストｃｈの情報とから、縮小映像群におけるラストｃｈの縮小映像の位置を特定する。制御部２１は、縮小映像群におけるラストｃｈの縮小映像をコピーすることにより、ラストｃｈの縮小映像を取得する。
【０１２２】
なお、ラストｃｈの縮小映像および音声の取得方法はこれに限られるものではない。例えば、ＳＴＢ２０は、放送波受信部２３が２以上のチューナを備える場合は、放送波からコンテンツブラウザを生成するためのデータで構成されるサービスを取得するチューナとは別のチューナを用いて、放送波からラストｃｈの映像と音声とを取得しても構わない。ＳＴＢ２０は、取得したラストｃｈの映像を縮小処理することにより、ラストｃｈの縮小映像と音声とを取得することができる。
【０１２３】
［２−３−２．ブラウザ映像の生成］
ＳＴＢ２０は、ブラウザ映像を生成し、生成したブラウザ映像と、第二態様の動画コンテンツと、動画コンテンツの音声とをＴＶ６０に出力する（Ｓ１０４）。また、ブラウザ映像を表示させている間に、視聴者がカーソルＣの移動や選択をした場合、これらを示す操作音や通知音をＴＶ６０に出力しても良い。
【０１２４】
図９は、本実施の形態におけるブラウザ映像および音声の取得方法の処理手順の一例を示すフローチャートである。
【０１２５】
ＳＴＢ２０の制御部２１は、カーソルＣが指し示すサービスが第一サービスであるか第二サービスであるかを確認する（Ｓ１１１）。第一サービスは、上述したように、縮小映像を他の縮小映像と同一画面上に同時に表示する許可が得られていないサービスである。第二サービスは、当該許可が得られているサービスである。
【０１２６】
ＳＴＢ２０は、カーソルＣが指し示すサービスが第一サービスである場合は、第一ブラウザ映像を表示する。第一ブラウザ映像では、当該第一サービスについては縮小映像が表示され、他のサービスについては他のサービスを示すアイコン映像が表示される。
【０１２７】
ＳＴＢ２０は、カーソルＣが指し示すサービスが第二サービスである場合は、第二ブラウザ映像を表示する。第二ブラウザ映像では、第二サービスについては縮小映像が表示され、第一サービスについてはアイコン映像が表示される。
【０１２８】
これにより、上述した許可の有無に応じたコンテンツブラウザの提供が可能になる。
【０１２９】
なお、第一ブラウザ映像、または、第二ブラウザ映像のいずれの場合も第二態様の動画コンテンツがともに表示される場合がある。
【０１３０】
制御部２１は、記憶部に記憶されたカーソルの位置情報２５ｂと、図２Ｂに示す仕様情報２５ｄとを用いて、カーソルＣが指し示すサービスを特定する。例えば、カーソルの位置がラストｃｈの表示領域Ｒ００１の位置である場合、記憶部２５に記憶したラストｃｈの情報から、サービスを特定する。制御部２１は、カーソルＣの位置がラストｃｈ以外の位置である場合は、記憶部２５に記憶されたカーソルの位置情報２５ｂ（Ｒ１０１〜Ｒ１０７、Ｒ２０１〜Ｒ２１５）と、図２Ｂに示す仕様情報２５ｄとから、サービスを特定する。例えば、カーソルの位置情報２５ｂがＲ１０７の場合、図２Ｂより、カーソルＣが指し示すサービスは、ＢＳｃｈ２であると特定できる。例えば、カーソルの位置情報２５ｂがＲ２１１の場合、図２Ｂに示す仕様情報２５ｄより、カーソルＣが指し示すサービスは、ＣＳｃｈ１１であると特定できる。
【０１３１】
制御部２１は、ステップＳ１０１においてポータルサーバ３０から取得した許可情報３１ｄを用いて、特定したサービスが第一サービスであるか第二サービスであるかを確認する。
【０１３２】
制御部２１は、カーソルＣが指し示すサービスが第一サービスである場合（Ｓ１１１の「第一サービス」）、カーソルＣが指し示すサービスとラストｃｈとが同じであるか否かを確認する（Ｓ１１２）。カーソルＣが指し示すサービスは、ステップＳ１１１において既に特定されている。ラストｃｈについては、コンテンツブラウザの表示開始時に記憶部２５に記憶されている。制御部２１は、これらの情報を比較して、カーソルＣが指し示す第一サービスとラストｃｈとが同じであるか否かを確認する。
【０１３３】
カーソルＣが指し示す第一サービスとラストｃｈとが同じである場合（Ｓ１１２の「第一サービス＝ラストｃｈ」）、制御部２１は、ラストｃｈとカーソルＣが指し示す第一サービスの縮小映像とが表示される第一ブラウザ映像を生成する（Ｓ１１３）。当該第一ブラウザ映像では、他のサービスの縮小映像は表示されない。
【０１３４】
図１０Ａは、本実施の形態における第一ブラウザ映像１００の映像の一例を示す図である。第一ブラウザ映像では、カーソルＣが指し示す第一サービスの第一縮小映像が表示され、他の縮小映像は表示されない。図１０Ａでは、カーソルＣが指し示す第一サービスの縮小映像に加え、ラストｃｈの縮小映像も表示されている。
【０１３５】
図１０Ａでは、カーソルＣが指し示す第一サービスはＢＳｃｈ２である。また、視聴者が最後に視聴したサービスはＢＳｃｈ２である。図１０Ａでは、カーソルＣが指し示す第一サービスとラストｃｈが同じであるため、ラストｃｈの縮小映像１０１とＢＳｃｈ２の縮小映像１１８とが表示されている。また、領域Ｒ１およびＲ２のＢＳｃｈ２以外の表示領域には、対応する映像（縮小映像）とは異なる映像として、対応するサービスを示すアイコン映像が表示されている。
【０１３６】
制御部２１は、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、仕様情報２５ｄに合わせて縮小映像を並び替える。その場合、制御部２１は、マッピング情報３１ａと仕様情報２５ｄとに基づき、図８Ａに示す縮小映像群に含まれる縮小映像を仕様情報２５ｄに示される位置に並び替える。制御部２１は、並び替え後の縮小映像群とテンプレート映像とを合成して合成映像を生成する。なお、過去の処理において、当該合成映像が既に作成されている場合は、既に作成されている合成映像を利用しても構わない。
【０１３７】
制御部２１は、合成映像に対し、縮小映像を表示させない表示領域に対して、アイコン映像を合成する所謂マスク処理を行う。制御部２１は、第一表示領域Ｒ１０７を除く領域Ｒ１およびＲ２に含まれる複数の表示領域の各々について、ステップＳ１０１においてポータルサーバ３０から取得したアイコン映像群３１ｅから対応するアイコン映像を取得する。制御部２１は、第一表示領域Ｒ１０７を除く領域Ｒ１およびＲ２に含まれる複数の表示領域の各々について、対応する映像とは異なる映像として、対応するアイコン映像を合成する。
【０１３８】
また、制御部２１は、ステップＳ１０１においてポータルサーバ３０から取得した契約情報３１ｂにおいて、未契約であると記憶されているサービスについては、対応する映像とは異なる映像として、対応する表示領域に未契約であることを示すアイコン映像を合成する。図１０Ａでは、未契約の要契約サービスに対応する第二表示領域Ｒ２０１には、未契約であることを示すアイコン映像１２４が合成される。これにより、図８Ａに示す第二縮小映像１２１はアイコン映像１２４により隠されることになる。同様に、未契約の要契約サービスに対応する第二表示領域Ｒ２０１についても、第二縮小映像の上から未契約であることを示すアイコン映像が合成される。契約済みの要契約サービスに対応する第二表示領域Ｒ２０６には、アイコン映像は合成されず、結果的に、当該サービスを示す第二縮小映像１２２が表示される。
【０１３９】
まとめると、図１０Ａに示す第一ブラウザ映像１００の映像では、表示領域Ｒ００１には、ラストｃｈの映像が表示されている。第一表示領域Ｒ１０１〜Ｒ１０６には、Ｄｃｈ１〜Ｄｃｈ５、ＢＳｃｈ１に対応するアイコン映像が表示されている。第一表示領域Ｒ１０７には、ＢＳｃｈ２の映像が表示されている。第二表示領域Ｒ２０２〜Ｒ２１３、Ｒ２１５には、ＣＳｃｈ２〜ＣＳｃｈ１３、ＣＳｃｈ１５に対応するアイコン映像が表示されている。第二表示領域Ｒ２０１およびＲ２１４には、未契約であることを示すアイコン映像が表示されている。
【０１４０】
カーソルＣが指し示す第一サービスとラストｃｈとが同じではない場合（Ｓ１１２の「第一サービス≠ラストｃｈ」）、制御部２１は、カーソルＣが指し示す第一サービスの縮小映像が表示される第一ブラウザ映像を生成する（Ｓ１１４）。当該第一ブラウザ映像では、ラストｃｈを含む他のサービスの縮小映像は表示されない。
【０１４１】
図１０Ｂは、本実施の形態における第一ブラウザ映像１００の他の一例を示す図である。第一ブラウザ映像では、カーソルＣが指し示す第一サービスの第一縮小映像が表示され、他の縮小映像は表示されない。図１０Ｂでは、図１０Ａとは異なり、ラストｃｈの縮小映像は表示されない。
【０１４２】
図１０Ｂでは、カーソルＣが指し示す第一サービスはＢＳｃｈ２である。また、視聴者が最後に視聴したサービスは、ＢＳｃｈ２以外のサービス、例えば、ＢＳｃｈ１である。図１０Ｂでは、カーソルＣが指し示す第一サービスとラストｃｈが異なるため、ＢＳｃｈ２の縮小映像１１８が表示され、ラストｃｈの縮小映像は表示されない。また、領域Ｒ１およびＲ２のＢＳｃｈ２以外の表示領域には、対応する映像とは異なる映像として、対応するサービスを示すアイコン映像が表示されている。
【０１４３】
制御部２１は、図１０Ａの場合と同様に、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、仕様情報２５ｄに合わせて縮小映像を並び替える。その場合、制御部２１は、縮小映像群に含まれる複数の縮小映像の並び替えを行った後に、テンプレート映像３１ｃと並び替え後の縮小映像群とを合成して合成映像を生成する。
【０１４４】
制御部２１は、合成映像に対し、第一表示領域Ｒ１０７を除く領域Ｒ１および領域Ｒ２に含まれる複数の表示領域の各々に、対応するアイコン映像を合成する。制御部２１は、領域Ｒ０に含まれる表示領域Ｒ００１には、ラストｃｈの縮小映像の表示領域であることを示すアイコン映像を合成する。また、制御部２１は、ステップＳ１０１においてポータルサーバ３０から取得した契約情報３１ｂにおいて、未契約であると記憶されているサービスについては、対応する映像とは異なる映像として、対応する表示領域に未契約であることを示すアイコン映像を合成する。
【０１４５】
まとめると、図１０Ｂに示す第一ブラウザ映像１００の映像では、表示領域Ｒ００１には、ラストｃｈの表示領域であることを示すアイコン映像が表示されている。第一表示領域Ｒ１０１〜Ｒ１０６には、Ｄｃｈ１〜Ｄｃｈ５、ＢＳｃｈ１に対応するアイコン映像が表示されている。第一表示領域Ｒ１０７には、ＢＳｃｈ２の映像が表示されている。第二表示領域Ｒ２０２〜Ｒ２１３、Ｒ２１５には、ＣＳｃｈ２〜ＣＳｃｈ１３、ＣＳｃｈ１５に対応するアイコン映像が表示されている。第二表示領域Ｒ２０１およびＲ２１４には、未契約であることを示すアイコン映像が表示されている。
【０１４６】
なお、図示は省略するがＲ４領域には第二態様の動画コンテンツＶ２が表示されていてもよい。
【０１４７】
制御部２１は、カーソルＣが指し示すサービスが第二サービスである場合（Ｓ１１１の「第二サービス」）、ラストｃｈが第一サービスであるか第二サービスであるかを確認する（Ｓ１１５）。制御部２１は、記憶部２５に記憶したラストｃｈの情報からサービスを特定し、ステップＳ１０１においてポータルサーバ３０から取得した許可情報３１ｄを用いて、ラストｃｈが第一サービスであるか第二サービスであるかを確認する。
【０１４８】
ラストｃｈが第一サービスである場合（Ｓ１１５の「第一サービス」）、制御部２１は、複数の第二サービスの縮小映像が表示される第二ブラウザ映像を生成する（Ｓ１１６）。当該第二ブラウザ映像では、ラストｃｈの縮小映像と第一サービスの縮小映像とは表示されない。
【０１４９】
図１０Ｃは、本実施の形態における第二ブラウザ映像２００の映像の一例を示す図である。第二ブラウザ映像では、複数の第二縮小映像が表示され、複数の第一縮小映像は表示されない。図１０Ｃでは、ラストｃｈの縮小映像は表示されない。
【０１５０】
図１０Ｃでは、カーソルＣが指し示す第二サービスは、ＣＳｃｈ１１である。また、視聴者が最後に視聴したサービスは、第一サービスである。図１０Ｃでは、ラストｃｈが第一サービスであるため、ラストｃｈの縮小映像は表示されない。図１０Ｃでは、第二縮小映像１２２および第二縮小映像１２３を含む第二縮小映像群１２０が表示されている。
【０１５１】
制御部２１は、図１０Ａの場合と同様に、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、仕様情報２５ｄに合わせて縮小映像を並び替える。その場合、制御部２１は、縮小映像群に含まれる複数の縮小映像の並び替えを行った後に、テンプレート映像３１ｃと並び替え後の縮小映像群とを合成して合成映像を生成する。
【０１５２】
制御部２１は、合成映像に対し、領域Ｒ１に含まれる第一表示領域Ｒ１０１〜Ｒ１０７の各々に、対応する映像とは異なる映像として、Ｄｃｈ１〜Ｄｃｈ５、ＢＳｃｈ１、ＢＳｃｈ２を示すアイコン映像を合成する。制御部２１は、表示領域Ｒ００１には、ラストｃｈの縮小映像の表示領域であることを示すアイコン映像を合成する。また、ステップＳ１０１においてポータルサーバ３０から取得した契約情報３１ｂにおいて、未契約であると記憶されているサービスについては、制御部２１は、対応する映像とは異なる映像として、対応する表示領域に未契約であることを示すアイコン映像を合成する。このようにして、第一ブラウザ映像において、所望の縮小映像を表示するか、当該縮小映像とは異なる映像（例えばアイコン映像）を表示するかを制御できる。
【０１５３】
まとめると、図１０Ｃに示す第二ブラウザ映像２００の映像では、表示領域Ｒ００１には、ラストｃｈの表示領域であることを示すアイコン映像が表示されている。第一表示領域Ｒ１０１〜Ｒ１０７には、Ｄｃｈ１〜Ｄｃｈ５、ＢＳｃｈ１、ＢＳｃｈ２のアイコン映像が表示されている。第二表示領域Ｒ２０２〜Ｒ２１３、Ｒ２１５には、ＣＳｃｈ２〜ＣＳｃｈ１３、ＣＳｃｈ１５の縮小映像が表示されている。第二表示領域Ｒ２０１およびＲ２１４には、未契約であることを示すアイコン映像が表示されている。
【０１５４】
なお、図示は省略するがＲ４領域には第二態様の動画コンテンツＶ２が表示されていてもよい。
【０１５５】
ラストｃｈが第二サービスである場合（Ｓ１１５の「第二サービス」）、制御部２１は、ラストｃｈの縮小映像と複数の第二サービスの縮小映像とが表示される第二ブラウザ映像を生成する（Ｓ１１７）。当該第二ブラウザ映像では、第一サービスの縮小映像は表示されない。すなわち、複数の第一表示領域の各々に、当該第一表示領域に対応する第一縮小映像とは異なる映像が表示される。
【０１５６】
図１０Ｄは、本実施の形態における第二ブラウザ映像２００の映像の他の一例を示す図である。第二ブラウザ映像では、複数の第二縮小映像が表示され、複数の第一縮小映像は表示されない。図１０Ｄでは、図１０Ｃとは異なり、ラストｃｈの縮小映像も表示される。
【０１５７】
図１０Ｄでは、カーソルＣが指し示す第二サービスは、ＣＳｃｈ７である。また、視聴者が最後に視聴したサービスは第二サービスである。図１０Ｄでは、カーソルＣが指し示すサービスとラストｃｈが共に第二サービスであるため、第二縮小映像１２２および第二縮小映像１２３を含む第二縮小映像群１２０と、ラストｃｈの縮小映像１０１とが表示されている。
【０１５８】
制御部２１は、図１０Ａの場合と同様に、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、仕様情報２５ｄに合わせて縮小映像を並び替える。その場合、制御部２１は、縮小映像群に含まれる複数の縮小映像の並び替えを行った後に、テンプレート映像３１ｃと並び替え後の縮小映像群とを合成して合成映像を生成する。
【０１５９】
制御部２１は、合成映像に対し、領域Ｒ１の第一表示領域Ｒ１０１〜Ｒ１０７の各々に、対応する映像とは異なる映像として、Ｄｃｈ１〜Ｄｃｈ５、ＢＳｃｈ１、ＢＳｃｈ２のアイコン映像を合成する。また、ステップＳ１０１においてポータルサーバ３０から取得した契約情報３１ｂにおいて、未契約であると記憶されているサービスについては、制御部２１は、対応する映像とは異なる映像として、対応する表示領域に未契約であることを示すアイコン映像を合成する。このようにして、第一ブラウザ映像において、所望の縮小映像を表示するか、当該縮小映像とは異なる映像（例えばアイコン映像）を表示するかを制御できる。
【０１６０】
まとめると、図１０Ｄに示す第二ブラウザ映像２００の映像では、表示領域Ｒ００１には、ラストｃｈの映像が表示されている。第一表示領域Ｒ１０１〜Ｒ１０７には、Ｄｃｈ１〜Ｄｃｈ５、ＢＳｃｈ１、ＢＳｃｈ２に対応するアイコン映像が表示されている。第二表示領域Ｒ２０２〜Ｒ２１３、Ｒ２１５には、ＣＳｃｈ２〜ＣＳｃｈ１３、ＣＳｃｈ１５の映像が表示されている。第二表示領域Ｒ２０１およびＲ２１４には、未契約であることを示すアイコン映像が表示されている。
【０１６１】
なお、図示は省略するがＲ４領域には第二態様の動画コンテンツＶ２が表示されていてもよい。
【０１６２】
制御部２１は、ステップＳ１１３〜Ｓ１１７の何れかを実行した後に、生成した映像にカーソルＣの映像を合成する（Ｓ１１８）。制御部２１は、本実施の形態では、記憶部２５に記憶されたカーソル映像２５ｃを、ステップＳ１１３〜Ｓ１１７のいずれかにおいて生成した映像に合成する。カーソル映像２５ｃは、カーソルの位置情報２５ｂが示す位置に合成される。
【０１６３】
これにより、ブラウザ映像が生成される。なお、カーソル映像２５ｃは、ポータルサーバ３０から取得するように構成しても構わない。また、記憶部２５に、カーソル映像２５ｃそのものではなく、カーソル映像２５ｃを生成するための情報が記憶されてもよい。この場合、制御部２１は、カーソル映像２５ｃを生成し、生成したカーソル映像２５ｃをステップＳ１１３〜Ｓ１１７のいずれかにおいて生成した映像に合成する。
【０１６４】
制御部２１は、生成したブラウザ映像をＴＶ６０に出力する。
【０１６５】
制御部２１は、カーソルＣが指し示すサービスの音声を多重化音声から取得し、ＴＶ６０に出力する。なお、カーソルＣが指し示すサービスは、ステップＳ１０４の実行において既に特定されている。
【０１６６】
［２−３−３．リモコン操作］
図６Ｂを用いて、リモコン操作について説明する。ステップＳ１０４において、制御部２１はブラウザ映像を生成し、ＴＶ６０に表示する。さらに、制御部２１は、ＴＶ６０のスピーカからカーソルＣが指し示すサービスの音声、または、動画コンテンツＶ２に対応する音声をＴＶ６０に出力する。Ｓ１０５において、リモコン５０の方向キーが押下された場合は（Ｓ１０５の「カーソルの移動」）、ステップＳ１０４に移行する。ＳＴＢ２０は、押下された方向キーに応じて、カーソルを移動させ、移動後のカーソルが示すサービスを特定する。
【０１６７】
ＳＴＢ２０は、カーソルが示すサービスが、第一サービスと第二サービスとの間で切り替わった場合は、移動後のカーソルＣに応じて、ＴＶ６０に出力する映像を、第一ブラウザ映像と第二ブラウザ映像との間で切り替える。ＳＴＢ２０は、カーソルが示すサービスが、第一サービスの間で切り替わった場合は、第一ブラウザ映像において、結果的に表示する縮小映像を切り替える。ＳＴＢ２０は、ＴＶ６０に出力する音声を、移動前のカーソルが示すサービスの音声から、移動後のカーソルが示すサービスの音声に切り替える。また、音声は第二態様の動画コンテンツＶ２に対応する音声のままでも良い。
【０１６８】
ブラウザ映像が表示されている状態において（Ｓ１０４）、リモコン５０の確定キーが押下された場合は（Ｓ１０５の「確定キー」）、選局モードを終了する。
【０１６９】
確定キーが押下されたときのカーソルＣの位置が、領域Ｒ０〜Ｒ２のいずれかに含まれる表示領域、または、第三表示領域Ｒ３０１である場合、ＳＴＢ２０は、通常モードに移行し、カーソルＣが指し示すサービスの映像および音声をＴＶ６０に出力する。
【０１７０】
確定キーが押下されたときのカーソルＣの位置が領域Ｒ３に含まれる第三表示領域Ｒ３０２〜３０８の場合、ＳＴＢ２０は、アプリモードに移行し、当該表示領域に対応付けられたメニューアプリ３１ｆをポータルサーバ３０から取得する。ＳＴＢ２０は、取得したメニューアプリ３１ｆを起動して、メニューアプリ３１ｆの画面（録画一覧、予約一覧等）を表示する。
【０１７１】
確定キーが押下されたときのカーソルＣの位置が領域Ｒ４の場合、ＳＴＢ２０は、第一態様、または、他の態様の動画コンテンツを表示する。
【０１７２】
［２−４．録画モード］
ＳＴＢ２０は、ＥＰＧ等を用いて録画予約された１または複数のサービスの録画開始時刻になったとき、および、リモコン５０の録画キーが押下されたときに、録画モードに移行する。なお、放送波受信部２３が２以上のチューナを備える場合は、通常モードまたは選局モードにかかる動作の実行と並行して、録画モードにかかる動作を実行することができる。
【０１７３】
ここでは、ブラウザ映像の録画について説明する。本実施の形態のＳＴＢ２０は、コンテンツブラウザが出力するブラウザ映像を録画することが可能である。ＳＴＢ２０は、記憶部２５により、通常の第一サービスおよび第二サービスと同様に、ブラウザ映像を録画することが可能である。記憶部２５は、内蔵ハードディスクにブラウザ映像を録画してもよいし、ＳＴＢ２０が他のメディアへの録画機能を備える場合には、その録画機能を利用してもよい。他のメディアとは、例えば、ＤＶＤ（Ｄｉｇｉｔａｌ  Ｖｅｒｓａｔｉｌｅ  Ｄｉｓｃ）あるいはＢＤ（Ｂｌｕ−ｒａｙ（登録商標）  Ｄｉｓｃ）、外部接続されたハードディスク等である。
【０１７４】
ＳＴＢ２０は、ブラウザ映像について録画が予約された場合、あるいは、ブラウザ映像および音声をＴＶ６０に出力しているときにリモコン５０の録画キーが押下された場合、ブラウザ映像の録画を行う。
【０１７５】
ＳＴＢ２０は、コンテンツブラウザの録画において、テンプレート映像３１ｃ、縮小映像群、多重化音声、マッピング情報３１ａ、契約情報３１ｂ、許可情報３１ｄ、アイコン映像群３１ｅおよび仕様情報２５ｄを含む録画データを記憶する。ＳＴＢ２０は、録画されたブラウザ映像の再生時に、これらの録画データを用いてブラウザ映像と共に動画コンテンツを生成し、録画データに含まれる多重化音声、または、動画コンテンツから音声を取得する。ＳＴＢ２０は、生成したブラウザ映像、および、動画コンテンツと音声とをＴＶ６０に出力する。
【０１７６】
また、制御部２１は、録画したブラウザ映像の再生において、第一サービスおよび第二サービスのうちの１つが選択された場合は、選択されたサービスの縮小映像を拡大して全画面表示する。なお、音声については、カーソルＣが移動した時から、多重化音声に含まれる当該サービスの音声を抽出して出力していることから、引き続き、当該サービスの音声を出力する。
【０１７７】
なお、広告主あるいは権利者（サービスを提供する放送事業者）の意向によっては、契約情報３１ｂあるいは許可情報３１ｄは、再生時に新たに取得するように構成しても構わない。
【０１７８】
ブラウザ映像の再生において、再生時の契約情報３１ｂを用いる場合、録画時に未契約のサービスであっても、再生時に契約されていれば、当該サービスの縮小映像あるいは当該縮小映像の拡大映像を見ることができる。
【０１７９】
同様に、ブラウザ映像の再生において、再生時の許可情報３１ｄを用いる場合、再生時に許可情報３１ｄを確認するため、録画時には未契約のサービスを含めて録画できても構わない。これにより、録画時において、縮小映像を他の縮小映像と同一画面上に同時に表示する許可が得られていないサービスであっても、再生時に許可が得られていれば、当該サービスの縮小映像を他の縮小映像と同一画面上に同時に表示できる。つまり、録画時に第一サービスであったサービスについて、再生時に許可が得られている場合は、第二サービスとして扱っても構わない。
【０１８０】
また、録画時の契約情報３１ｂおよび再生時の契約情報３１ｂのいずれかにおいて契約されていれば、当該サービスの縮小映像を視聴可能に構成しても構わない。
【０１８１】
また、ブラウザ映像の再生において、再生時の許可情報３１ｄを用いる場合、再生時に許可情報３１ｄを確認するため、録画時には他の映像と同時に表示する許可が得られていないサービスを、他の映像とともに録画できても構わない。録画時に縮小映像を他の縮小映像と同時に表示する許可が得られていない第一サービスに分類されるサービスであっても、再生時に当該許可が得られていれば、当該サービスの縮小映像を他の縮小映像と同時に表示するように構成してもよい。
【０１８２】
逆に、録画時に第二サービスに分類されるサービスであっても、再生時に第一サービスとなっているサービスについては、当該サービスの縮小映像を他のサービスの縮小映像と同時に表示しないように構成しても構わない。
【０１８３】
［３．効果等］
本実施の形態のＳＴＢ２０は、選局サービスが選択されると第一態様の動画コンテンツが表示される。従って、コンテンツブラウザが起動するまでの時間を有効に活用し、視聴者に所望の動画コンテンツ、例えば広告動画を表示することが可能となる。
【０１８４】
また、動画コンテンツをＴＶ６０の画面全体に表示しないことで、視聴者に通常モードとは異なる印象を与えることができ、コンテンツブラウザが起動することを視聴者に認識させることが可能となる。さらに、動画コンテンツと共にプログレスバーなどを表示することでさらに、通常モードから移行してコンテンツブラウザが起動していることを視聴者に印象づけることが可能となる。従って、視聴者がリモコンを操作して選局キーを押下した際に表示される動画コンテンツがサービスの一連の動画ではない特別な動画の表示であることを印象づけることもできる。
【０１８５】
また、本実施の形態のＳＴＢ２０は、縮小映像を他のサービスの縮小映像と同一画面に同時に表示する許可が得られていない第一サービスについては、当該第一サービスの縮小映像が表示される間、他のサービスの縮小映像を表示しない第一ブラウザ映像が提供される。また、上記許可が得られている第二サービスについては、同一画面に同時に１または複数の第二サービスの第二縮小映像を表示する第二ブラウザ映像が提供される。これにより、上記許可の有無に応じた適切なブラウザ映像を提供することが可能になる。
【０１８６】
第二ブラウザ映像では、複数の第二サービスの映像（動画）が同時に表示されるので、ＴＶ６０を視聴する視聴者が視覚的に複数の番組を認識することが可能になる。これにより、視聴者によるサービスの選択をスムーズにし、利便性の向上、および、操作回数の低減による消費電力の削減を図ることが可能になる。
【０１８７】
なお、一般的に、ＳＴＢ２０側で縮小映像を生成しようとすると、１つのサービスにつき１つのチューナが必要になる。本実施の形態では、放送局１０側で縮小映像群（縮小画像群）を生成し、縮小画像群を一つのサービスとして放送波に重畳する。ＳＴＢ２０側では、放送波から縮小画像群を送信するサービスを受信するだけで複数のサービスに対応する複数の縮小映像が得られる。これにより、ＳＴＢ２０側では、複数のサービスの合計数のチューナを備えることなく、複数のサービスの縮小映像を同時に表示することが可能になる。
【０１８８】
また、本実施の形態では、放送局１０が縮小映像群を生成する。これにより、ＳＴＢ２０側では、同時に複数のサービスを受信し、各々のサービスの映像を縮小する必要がなくなる。ＳＴＢ２０側において、アイコン映像およびカーソルの描画処理を行うが、これらの処理に伴う負荷は映像の縮小などと比較して小さい。これにより、ＳＴＢ２０側での情報処理量を抑制でき、ＳＴＢ２０のコスト低減が期待できる。また、ＳＴＢ２０側での情報処理量が抑制されることにより、コンテンツブラウザの動作の高速化が期待できる。
【０１８９】
さらに、本開示の映像受信装置および映像表示方法は、コンテンツ起動後に表示する縮小映像を、サービスごとの契約や許可の有無に基づいて制御できる。これにより、視聴可能なサービスの中に動画コンテンツと同時に表示できないサービスが混在していても、コンテンツブラウザの起動中から起動後まで、動画コンテンツを連続的に再生可能である。これにより、コンテンツブラウザの起動にかかる時間よりも長い動画コンテンツであっても、違和感なく表示することができる。
【０１９０】
さらに、本開示の映像受信装置および映像表示方法は、コンテンツブラウザの起動中から起動後まで、動画コンテンツに係る音声を連続的に再生可能である。これにより、動画コンテンツが第一態様から第二態様に切り替わる瞬間に視聴者が受ける違和感を軽減できる。
【０１９１】
また、本開示の映像受信装置および映像表示方法は、動画コンテンツの映像と音声を別個に制御することができる。これにより、コンテンツブラウザの起動後に、動画コンテンツの映像を表示しない場合であっても、動画コンテンツに係る音声のみを再生することも可能である。動画コンテンツに係る音声が連続的に再生されることにより、動画コンテンツの映像が途中までしか再生されない場合でも、視聴者が受ける違和感を軽減できる。
【０１９２】
［変形例１］
変形例１の映像受信装置および映像表示方法について、図１１、図１２Ａおよび図１２Ｂを用いて説明する。
【０１９３】
本変形例では、例えば、選局モードにおいて、複数のサービスの縮小映像を、複数ページにわたって表示する場合について説明する。なお、本変形例は、第二サービスの縮小映像の数が多く、最初のブラウザ映像では対応できない場合に特に有用である。
【０１９４】
図１１は、本変形例における１ページ目のブラウザ映像の一例を示す図である。図１２Ａおよび図１２Ｂは、本変形例における２ページ目以降のブラウザ映像の一例を示す図である。
【０１９５】
図１１のブラウザ映像が、図１０Ａ〜図１０Ｄのブラウザ映像とは異なる点は、図１０Ａ〜図１０Ｄにおいてアプリ１のアイコン映像１３６があった部分に、次ページを表示するためのアイコン映像１４０が配置されている点である。カーソルＣを図１１に示すようにアイコン映像１４０の位置にカーソルＣを合わせた状態でリモコン５０の確定キーが押下された場合に、図１２Ａまたは図１２Ｂに示す２ページ目以降のページに移動する。
【０１９６】
なお、ここでは、アプリ１のアイコン映像１３６があった部分に次ページを表示するためのアイコン映像１４０を表示する場合について説明したが、これに限るものではない。図１０Ａ〜図１０Ｄのブラウザ映像を表示し、カーソルが右端の表示領域に位置するときに、さらにリモコンの右を示す方向キーが押された場合に、他のページを表示しても構わない。同様に、カーソルが左端、上端あるいは下端の表示領域に位置するときに、さらにリモコンの左、上あるいは下を示す方向キーが押された場合に、他のページを表示しても構わない。また、カーソルＣが上下左右の端の表示領域に位置するときに、次のページがあることを示すアイコン（例えば、矢印等）を表示するように構成しても構わない。
【０１９７】
図１２Ａおよび図１２Ｂでは、２×２の４つの領域Ｒ１０、Ｒ２０、Ｒ３０およびＲ４０が配置され、各領域の各々には、３×３の表示領域が配置されている。つまり、図１２Ａおよび図１２Ｂでは、６×６の表示領域が配置されている。
【０１９８】
各領域には、１または複数のジャンルが割り当てられる。例えば、領域Ｒ１０のジャンルは、ニュースおよびスポーツである。領域Ｒ１０には、主にニュース番組あるいはスポーツ番組を放送する事業者のサービスの縮小映像が表示される。また、例えば、領域Ｒ２０のジャンルは映画である。領域Ｒ２０には、主に映画を放送する事業者のサービスの縮小映像が表示される。同様にして、領域Ｒ３０およびＲ４０についてもテーマが定められている。
【０１９９】
なお、本変形例では、各領域に１または複数のジャンルを割り当てたが、例えば、視聴者別、良く視聴するサービス順等、領域に配置する縮小映像は任意である。また、本変形例では、領域Ｒ１０、Ｒ２０、Ｒ３０およびＲ４０の大きさは同じであるが、これに限るものではない。
【０２００】
制御部２１は、このように構成された２ページ目以降のブラウザ映像においては、カーソルＣが位置する領域に属する表示領域には、縮小映像を表示し、カーソルＣが位置しない領域に属する表示領域には、対応するサービスを示すアイコン映像を表示する。なお、図１２Ａおよび図１２Ｂに示す映像を、１ページ目の映像としても構わない。
【０２０１】
また、各ページのいずれかの領域の一つを動画コンテンツを表示する領域としてもかまわない。
【０２０２】
本変形例においても、実施の形態と同様の効果を奏することができる。
【０２０３】
［変形例２］
変形例２の映像受信装置および映像表示方法について、図１３および図１４を用いて説明する。
【０２０４】
本変形例では、第一サービスおよび第二サービスの縮小映像が表示される表示領域の位置が、視聴者によりカスタマイズ可能に構成されている場合について説明する。
【０２０５】
当該変形例では、動作モードには、登録モードが含まれる。
【０２０６】
ＳＴＢ２０は、登録モードになると、現在の選局モードの画面の仕様を視聴者の操作に応じて変更する。
【０２０７】
ＳＴＢ２０の記憶部２５には、現在の選局モードの画面の仕様、つまり、複数のサービス別に縮小映像を表示する表示領域の位置を記憶した仕様情報が記憶される。仕様情報２５ｄの初期値として、図２Ｂに示す情報が記憶されている。
【０２０８】
図１３は、本変形例における仕様変更後の第一ブラウザ映像３００の映像の一例を示す図である。図１４は、本変形例における仕様変更後の仕様情報２５ｄの一例を示す図である。
【０２０９】
図１３および図１４に示す例では、領域Ｒ２において縮小映像が入れ替えられている。具体的には、未契約のサービスが領域Ｒ２の右下に集められている。図１３および図１４では、第二表示領域Ｒ２０１〜２１３に、ＣＳｃｈ２〜ＣＳｃｈ１３、ＣＳｃｈ１５が対応付けられ、第二表示領域Ｒ２１４およびＲ２１５にＣＳｃｈ１およびＣＳｃｈ１４が対応付けられている。
【０２１０】
このように、例えば、視聴する機会の少ないサービスを集めることも可能である。言い換えると、視聴する機会の多さに応じて、縮小映像の表示位置を並び替えることが可能である。これにより、さらに視聴者の選局が容易になる。また、実施の形態と同様の効果を奏することができる。
【０２１１】
また、登録モードの際にも第二態様の動画コンテンツＶ２が表示されていても良い。
【０２１２】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。そこで、以下、他の実施の形態を例示する。
【０２１３】
（１）上記実施の形態、変形例１および変形例２では、ブラウザ映像として、図１０Ａ〜図１０Ｄに示す映像を例に説明したが、これに限るものではない。ブラウザ映像には、図１０Ａ〜図１０Ｄに示す映像に、さらに他の情報が表示されていても構わない。
【０２１４】
例えば、第一表示領域Ｒ１０１〜Ｒ１０７、第二表示領域Ｒ２０１〜Ｒ２１５の各々に、チャンネル番号が表示されていても構わない。
【０２１５】
（２）上記実施の形態、変形例１および変形例２では、未契約の要契約サービスについては、未契約であることを示すアイコン映像を表示したが、これに限るものではない。
【０２１６】
要契約サービスを提供する放送事業者の意向によっては、要契約サービスの映像を完全に差し替えるのではなく、例えば、「未契約」であることを示す情報と共に、要契約サービスの縮小映像をそのまま表示するように構成しても良い。「未契約」であることを示す情報は、例えば、要契約サービスの映像上、あるいは、その周辺（枠部分等）に表示される。
【０２１７】
また、制御部２１は、「未契約」の要契約サービスであっても、契約情報３１ｂに一時的に視聴できることを示す情報が記憶されている場合、あるいは、放送局１０から一時的に視聴できる期間が指定されている場合等には、要契約サービスについて縮小映像を表示しても構わない。この場合、制御部２１は、さらに、一時的に視聴可能であることを示す情報を、当該要契約サービスの映像あるいはその周辺（枠部分等）に追加してもよい。このように構成すれば、視聴者に対し、要契約サービスへの契約を促す（要契約サービスを宣伝する）ことが可能になる。
【０２１８】
（３）上記実施の形態、変形例１および変形例２では、制御部２１は、録画モードにおいてコンテンツブラウザを録画する場合、コンテンツブラウザを表示するためのデータを記憶しているが、これに限るものではない。図６ＢのステップＳ１０４（図９）において生成した第一ブラウザ映像用映像および第二ブラウザ映像用映像を記憶しても構わない。
【０２１９】
（４）上記実施の形態、変形例１および変形例２では、音声について、放送局１０が多重化音声を生成し、ＳＴＢ２０に対して出力する放送波に含ませるように構成したが、これに限るものではない。
【０２２０】
例えば、ＳＴＢ２０の放送波受信部２３が、２以上のチューナを備える場合には、１つのチューナで縮小画像群をデコードし、他のチューナで、多重化音声ではなく、コンテンツブラウザのカーソルＣで選択されたサービスの通常の音声をデコードするように構成してもよい。
【０２２１】
この場合には、放送局１０は、多重化音声を生成および出力する必要がなくなる。但し、コンテンツブラウザの録画のために、放送局１０は、多重化音声を生成するように構成してもよい。
【０２２２】
（５）上記実施の形態、変形例１および変形例２では、ポータルサーバ３０から、契約情報３１ｂを取得するように構成したが、これに限られるものではない。例えば、放送波に含まれる複数のサービスを順番にチューニングして、未契約か否かを判定するように構成してもよい。または、端末あるいはＣＡＳカードが持つ情報を参照しても構わない。
【０２２３】
（６）上記実施の形態、変形例１および変形例２では、ＳＴＢ２０の通信部２４は、選局モードに移行した際に、マッピング情報３１ａ等をポータルサーバ３０から取得するように構成したが、これに限るものではない。マッピング情報３１ａ等の取得タイミングは、ＳＴＢ２０の電源投入時等、他のタイミングであってもよい。あるいは、マッピング情報３１ａ等を、予めＳＴＢ２０内にダウンロードしておき、更新された時に、放送局１０あるいはポータルサーバ３０側から通知し、放送波受信部２３あるいは通信部２４から受信するように構成してもよい。
【０２２４】
（７）上記実施の形態、変形例１および変形例２では、マッピング情報３１ａ等をポータルサーバ３０から取得したが、これに限るものではない。放送局１０がこれらの情報を含む放送波を生成し、ＳＴＢ２０が、放送波からこれらの情報を抽出するように構成してもよい。
【０２２５】
（８）上記実施の形態、変形例１および変形例２では、ＳＴＢ２０が、放送局１０からの有線放送の放送波を受信する場合を例に説明したが、これに限るものではない。ＳＴＢ２０は、例えば、インターネット上のＩＰコンテンツ等をサービスの一部または全部として受信する構成であってもよい。あるいは、上記実施の形態、変形例１および変形例２では、映像受信装置がＳＴＢ２０である場合を例に説明したが、これに限るものではなく、例えば、インターネット上のＩＰコンテンツを受信する他の装置等であってもよい。
【０２２６】
（９）上記実施の形態、変形例１および変形例２では、制御部２１は、ＣＰＵまたは演算プロセッサであるとしたが、映像受信装置を制御するものであれば、物理的にどのように構成してもよい。なお、制御部２１をＣＰＵ（あるいはマイコン）で構成し、制御プログラムの実行により映像受信装置を制御するように構成すれば、制御プログラムの変更により処理内容を変更できるので、制御部２１の設計の自由度を高めることができる。また、制御部２１は、ハードロジックで実現してもよい。制御部２１をハードロジックで実現すれば、処理速度の向上に有効である。制御部２１は、１つの素子で構成してもよいし、物理的に複数の素子で構成してもよい。複数の素子で構成する場合、特許請求の範囲に記載の各制御を別の素子で実現してもよい。この場合、それらの複数の素子で一つの制御部２１を構成すると考えることができる。また、制御部２１と別の機能を有する部材とを１つの素子で構成してもよい。
【０２２７】
（１０）上記実施の形態、変形例１および変形例２では、ＳＴＢ２０とリモコン５０との間の通信として、赤外線通信を利用する場合について説明したが、これに限るものではない。
【０２２８】
（１１）上記実施の形態、変形例１および変形例２では、放送局１０が縮小映像群を生成したが、ＳＴＢ２０あるいはポータルサーバ３０が縮小映像群を生成しても構わない。
【０２２９】
なお、第一ブラウザ映像は、１つの第一縮小映像をテンプレート映像に嵌め込むことで生成できることから、１つのチューナがあれば放送波から第一ブラウザ映像を生成できる。このため、第一ブラウザ映像をＳＴＢ２０が生成し、第二ブラウザ映像を放送局１０が生成する等、分散して生成しても構わない。
【０２３０】
（１２）上記実施の形態、変形例１および変形例２では、サービスが対応していない表示領域は空白あるいはサービスが対応していないことを示すアイコン映像を表示したが、これに限るものではない。このような所謂余白領域には、他の任意の情報を表示しても構わない。他の任意の情報としては、例えば、カーソルＣで選択されているサービスの情報、カーソルＣで選択されているサービスに関連する商品の情報、他のお勧めサービスの情報、ＴＶショッピングの画像等が考えられる。
【０２３１】
（１３）上記実施の形態、変形例１および変形例２では、ＳＴＢ２０は、放送波からサービスの映像および音声を取得したが、これに限られるものではない。通信部２４を介してネットワークからサービスの映像および音声（例えば、ＩＰ（Ｉｎｔｅｒｎｅｔ  Ｐｒｏｔｏｃｏｌ）放送の映像および音声）を受信しても構わない。あるいは、ＳＴＢ２０が、さらに他の通信経路（電力線通信、無線通信等）に対応する通信部を備えている場合には、当該他の通信経路に対応する通信部を利用して、サービスの映像および音声を取得しても構わない。
【０２３２】
（１４）上記実施の形態、変形例１および変形例２では、カーソルの位置情報２５ｂは、ブラウザ映像の表示開始時に、左上にある表示領域の位置に初期化される場合を例に説明したが、これに限られるものではない。例えば、ブラウザ映像の表示終了時の位置をそのまま保持していても構わないし、特定の位置を視聴者あるいは放送局から指定できるように構成しても構わない。
【０２３３】
（１５）上記実施の形態、変形例１および変形例２では、仕様情報２５ｄには、サービスＩＤと、各サービスのチャンネル名と、表示領域の位置情報とが含まれる場合について説明したが、これに限られるものではない。一部のサービスについては、表示領域の位置情報が含まれていなくても構わない。また、仕様情報２５ｄには、各サービスのジャンル等、さらに他の情報が含まれていても構わない。
【０２３４】
（１６）上記実施の形態、変形例１および変形例２では、放送局１０のチューナ部１２は、複数のチューナの各々が、第一放送波から対応するサービスの映像及び音声をデコードする場合について説明したが、これに限られるものではない。例えば、一部または全部のサービスについて、専用回線を用いて各サービスの映像及び音声を取得しても構わない。
【０２３５】
（１７）上記実施の形態、変形例１および変形例２では、音声多重化部１４は、チューナ部１２を構成する複数のチューナから出力される複数のサービスの音声を多重化して、多重化音声を生成するとしたが、これに限られるものではない。多重化音声には、第一サービスおよび第二サービスのいずれにも含まれない環境音楽等の他の音声（以下、サービス外音声と称する）が含まれていても構わない。サービス外音声は、環境音楽等であってもよい。
【０２３６】
この場合において、ブラウザ映像を表示するときに、カーソルＣが指し示すサービスの音声ではなく、環境音楽等のサービス外音声を出力しても構わない。
【０２３７】
（１８）上記実施の形態、変形例１および変形例２では、制御部２１は、ブラウザ映像を表示するときに、カーソルＣが指し示すサービスの音声を多重化音声から取得し、ＴＶ６０に出力するとしたが、これに限られるものではない。
【０２３８】
例えば、制御部２１は、サービス外音声を出力するようにしてもよい。このサービス外音声は、あらかじめ記憶部２５に記憶されていてもよいし、制御部２１がネットワーク４０を介してポータルサーバ３０から取得し、記憶部２５に記憶しておいてもよい。
【０２３９】
また、制御部２１は、ブラウザ映像を表示するときに、音声を出力しないようにしてもよい。
【０２４０】
また、制御部２１は、カーソルＣが指し示すサービスが第一サービスであるか、第二サービスであるかに応じて出力する音声を切り替えるようにしてもよい。具体的には、制御部２１は、カーソルＣが指し示すサービスが第一サービスであるである場合には、カーソルＣが指し示すサービスの音声を多重化音声から取得して出力するようにし、カーソルＣが指し示すサービスが第二サービスであるである場合には、サービス外音声を出力するかまたは音声を出力しないようにしてもよい。
【０２４１】
（１９）上記実施の形態、変形例１および変形例２では、選局キーが押下された場合に、選局モードに移行する場合について説明したが、これに限られるものではない。ＳＴＢ２０は、ＳＴＢ２０の電源がＯＦＦ状態からＯＮ状態になったとき、あるいは、その他の指定されたタイミングで選局モードに移行するように構成しても構わない。
【０２４２】
（２０）上記実施の形態、変形例１および変形例２では、縮小映像群ＳＤＶが、複数の第一サービスおよび複数の第二サービスの縮小映像を含む場合について説明したが、第一サービスの縮小映像を含んでいなくても構わない。
【０２４３】
図１５は、複数の第二サービスの縮小映像で構成された縮小映像群ＳＤＶ２の一例を示す図である。
【０２４４】
この場合、例えば、制御部２１は、放送波受信部２３のチューナを用いて放送波から第二サービスの映像をデコードし、当該映像を縮小処理することにより、第二サービスの縮小映像を生成する。
【０２４５】
（２１）上記実施の形態、変形例１および変形例２では、制御部２１は、テンプレート映像３１ｃと縮小映像群ＳＤＶとを合成した合成映像を生成し、当該合成映像にアイコン映像を合成するマスク処理を実行したが、これに限られるものではない。
【０２４６】
制御部２１は、表示する縮小映像を縮小映像群から切り出して、切り出した縮小映像とテンプレート映像３１ｃとを合成しても構わない。
【０２４７】
（２２）ＳＴＢ２０は、動画コンテンツを表示したことに関する情報を動画配信サーバ７０にＳＴＢ２０の通信部２４および動画配信サーバ７０の通信部７２を介して送信してもかまわない。また、動画コンテンツを表示したことに関する情報には、動画コンテンツを示すＩＤ、第一態様で動画コンテンツを表示した時間、第二態様で動画コンテンツを表示した時間、動画コンテンツを表示した時刻などを含めてもかまわない。
【０２４８】
（２３）本実施の形態では動画コンテンツが表示される領域Ｒ４は、一つの縮小映像が表示される領域よりも大きいものとして説明したが、動画コンテンツが表示される領域Ｒ４は、一つの縮小映像が表示される領域と同等の大きさでもかまわない。
【０２４９】
（２４）本実施の形態ではコンテンツブラウザを立ち上げるトリガーとしてリモコン５０に設けられた選局キーを視聴者が押下する場合を説明した。しかし、当該トリガーは特に限定されるものではなく、例えば視聴者がＳＴＢ２０の電源をＯＮにしたことをコンテンツブラウザ起動のトリガーとしても良い。
【０２５０】
（２５）上記実施の形態、変形例１および変形例２では、表示領域に、当該表示領域に対応する縮小映像とは異なる映像として、対応するサービスを示すアイコン映像を表示するものとした。しかし、当該表示領域に対応する縮小映像とは異なる映像は、これに限られるものではない。例えば、アイコン映像の代わりに白、黒、青等の単色の映像を表示するようにしてもよい。また、アイコン映像の代わりに、特定のパターンの映像を表示するようにしてもよい。しかしながら、その表示領域がどのサービスに対応する表示領域なのかがわかりやすくなるため、対応するサービスを示すアイコン映像を表示することのほうがより望ましい。
【０２５１】
以上のように、本開示における技術の例示として、実施の形態を説明した。そのために、添付図面および詳細な説明を提供した。
【０２５２】
したがって、添付図面および詳細な説明に記載された構成要素の中には、必須な構成要素だけでなく、上記技術を例示するために、必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２５３】
また、上述の実施の形態は、本開示における技術を例示するためのものであるから、特許請求の範囲またはその均等の範囲において種々の変更、置き換え、付加、省略などを行うことができる。
【０２５４】
例えば、映像受信装置は、以下のような映像処理部を備えるものであってもよい。映像処理部は、複数の第一サービスおよび複数の第二サービスを含む複数のサービスから１つのサービスを選択させるためのブラウザ映像を映像表示装置に出力する。ブラウザ映像には、複数の第一表示領域と、複数の第二表示領域と、複数の第一表示領域および複数の第二表示領域のうちの１つを指し示すカーソルとが含まれる。第一表示領域は、第一サービスの映像が縮小された第一縮小映像を表示するための表示領域である。第二表示領域は、第二サービスの映像が縮小された第二縮小映像を表示するための表示領域である。映像処理部は、カーソルが複数の第一表示領域のうちの一つを指し示す場合は、カーソルにより指し示される第一表示領域に、当該第一表示領域に対応する第一縮小映像を表示する。その場合、映像処理部は、当該第一表示領域を除く他の第一表示領域および複数の第二表示領域の各々には、第一縮小映像または第二縮小映像と異なる映像を表示する第一ブラウザ映像を映像表示装置に出力する。カーソルが複数の第二表示領域のうちの一つを指し示す場合は、複数の第二表示領域の各々に、当該第二表示領域に対応する第二縮小映像をそれぞれ表示し、複数の第一表示領域の各々には第一縮小映像と異なる映像を表示する第二ブラウザ映像を映像表示装置に出力する。
【０２５５】
上記第一サービスは、例えば、当該第一サービスの縮小映像を、他のサービスの縮小映像と同一画面に同時に表示する許可が得られていないサービスである。この場合、上記第二サービスは、他のサービスの縮小映像と同一画面に同時に表示する許可が得られているサービスでる。
【０２５６】
さらに、映像受信装置は、複数の第一縮小映像および複数の第二縮小映像を含む縮小映像群を、周辺装置から受信するサービス受信部を備えてもよい。
【０２５７】
また、映像処理部は、下記のように第一ブラウザ映像、および、第二ブラウザ映像を生成してもよい。映像処理部は、複数の第一表示領域と複数の第二表示領域とを含むテンプレート映像を取得する。映像処理部は、取得したテンプレート映像に対し、カーソルが示す第一表示領域には、その表示領域に対応する第一縮小映像を合成する。映像処理部は、カーソルが示す第一表示領域を除く他の第一表示領域および複数の第二表示領域の各々には、アイコン映像を合成することにより、第一ブラウザ映像を生成する。映像処理部は、さらに、取得したテンプレート映像に対し、複数の第二表示領域の各々に対応する第二縮小映像を合成し、複数の第一表示領域の各々にアイコン映像を合成することにより、第二ブラウザ映像を生成する。
【０２５８】
また、アイコン映像は、複数のサービスのうちの対応するサービスを示す図形、文字、あるいはその両方を用いた映像であってもよい。
【０２５９】
また、ブラウザ映像は、複数のサービスの複数の音声を多重化した多重化音声を含んでもよい。映像処理部は、複数のサービスのうち、カーソルが示すサービスの音声を上記多重化音声から抽出し、抽出した音声を映像表示装置に出力してもよい。
【０２６０】
また、映像処理部は、さらに、第一ブラウザ映像または第二ブラウザ映像が映像表示装置において表示されているときに、カーソルの移動要求を受け付けた場合、カーソルを移動させると供に、映像表示装置に出力する音声を次のように切り替えてもよい。すなわち、映像処理部は、移動後のカーソルが示すサービスを特定し、映像表示装置に出力する音声を、移動前のカーソルが示すサービスの音声から、移動後のカーソルが示すサービスの音声に切り替える。
【０２６１】
映像処理部は、さらに、複数のサービスの各々について、当該サービスの縮小映像を、複数の第一表示領域および複数の第二表示領域を含む複数の表示領域のうちのどの表示領域に表示するかを示す仕様情報を取得する。第一ブラウザ映像または第二ブラウザ映像が表示されているときに、上記仕様情報を用いてカーソルの位置に表示されているサービスを特定してもよい。
【０２６２】
映像処理部は、さらに、複数のサービスのうち、視聴するための契約が必要な１以上の要契約サービスの各々について、契約されているか未契約かを示す契約情報を取得する。映像処理部は、第一ブラウザ映像および第二ブラウザ映像に対し、契約情報により未契約であると示される要契約サービスに対応する第一表示領域または第二表示領域に、未契約であることを示す映像を表示してもよい。
【０２６３】
映像処理部は、さらに、ブラウザ映像の録画を行う場合、未契約であることを示す映像が合成された第一ブラウザ映像および第二ブラウザ映像を録画してもよい。
【０２６４】
また、複数の第一サービスおよび複数の第二サービスを含む複数のサービスから１つのサービスを選択させるためのコンテンツブラウザを映像表示装置に出力する、下記のような映像表示方法が提供できる。映像処理部は、映像表示装置にコンテンツブラウザのブラウザ映像を表示する。ブラウザ映像には、複数の第一表示領域と、複数の第二表示領域と、カーソルとが含まれる。第一表示領域は、対応する第一サービスの映像が縮小された第一縮小映像を表示するための表示領域である。第二表示領域は、対応する第二サービスの映像が縮小された第二縮小映像を表示するための表示領域である。カーソルは、複数の第一表示領域および複数の第二表示領域のうちの１つを指し示すものである。映像処理部は、カーソルが複数の第一表示領域のうちの一つを指し示す場合は、カーソルにより指し示される第一表示領域に対応する第一縮小映像を表示する。映像表示方法は、第一ブラウザ映像を映像表示装置に出力するステップと、第二ブラウザ映像を映像表示装置に出力するステップとを含んでもかまわない。映像処理部は、第一表示領域を除く他の第一表示領域および複数の第二表示領域の各々に、対応するサービスを示すアイコン映像を表示する第一ブラウザ映像を映像表示装置に出力するステップを実行する。映像処理部は、カーソルが複数の第二表示領域のうちの一つを指し示す場合は、複数の第二表示領域の各々に対応する第二縮小映像を表示し、複数の第一表示領域の各々に対応する第一サービスを示すアイコン映像を表示する第二ブラウザ映像を映像表示装置に出力するステップ実行する。
【産業上の利用可能性】
【０２６５】
本開示は、複数のサービスから１つのサービスを選択させるためのコンテンツブラウザを表示する映像受信装置および映像表示方法として適用可能である。具体的には、ＣＡＴＶ（ケーブルテレビ）等の有線放送のＳＴＢ、あるいは、ＩＰコンテンツを受信する装置等、複数のサービスを配信する放送局からの映像コンテンツを受信する映像受信装置に、本開示は適用可能である。
【符号の説明】
【０２６６】
１０    放送局
１１    放送設備
１２    チューナ部
１３    縮小映像群生成部
１４    音声多重化部
１５    混合部
２０    ＳＴＢ
２１    制御部
２２    操作情報受信部
２３    放送波受信部
２４    通信部
２５    記憶部
２５ａ    受信機ＩＤ
２５ｂ    カーソルの位置情報
２５ｃ    カーソル映像
２５ｄ    仕様情報
２７    動画調整部
３０    ポータルサーバ
３１    記憶部
３１ａ    マッピング情報
３１ｂ    契約情報
３１ｃ    テンプレート映像
３１ｄ    許可情報
３１ｅ    アイコン映像群
３１ｆ    メニューアプリ
３２    通信部
４０    ネットワーク
５０    リモコン
６０    ＴＶ
７０    動画配信サーバ
７３    集計部
１００，３００    第一ブラウザ映像
１０１，１１８    縮小映像
１１０    第一縮小映像群
１１１    第一縮小映像
１２０    第二縮小映像群
１２１，１２２，１２３    第二縮小映像
１２４，１３１，１３２，１３３，１３４，１３５，１３６，１３９，１４０    アイコン映像
２００    第二ブラウザ映像
Ｌ１０１，Ｌ２０１    貼付領域
Ｐ    プログレスバー
ＳＤＶ，ＳＤＶ２    縮小映像群
Ｖ１，Ｖ２    動画コンテンツ
【図１】
2017121033.tif 000003
【図２Ａ】
2017121033.tif 000004
【図２Ｂ】
2017121033.tif 000005
【図３】
2017121033.tif 000006
【図４Ａ】
2017121033.tif 000007
【図４Ｂ】
2017121033.tif 000008
【図４Ｃ】
2017121033.tif 000009
【図５Ａ】
2017121033.tif 000010
【図５Ｂ】
2017121033.tif 000011
【図５Ｃ】
2017121033.tif 000012
【図５Ｄ】
2017121033.tif 000013
【図５Ｅ】
2017121033.tif 000014
【図６Ａ】
2017121033.tif 000015
【図６Ｂ】
2017121033.tif 000016
【図６Ｃ】
2017121033.tif 000017
【図７】
2017121033.tif 000018
【図８Ａ】
2017121033.tif 000019
【図８Ｂ】
2017121033.tif 000020
【図９】
2017121033.tif 000021
【図１０Ａ】
2017121033.tif 000022
【図１０Ｂ】
2017121033.tif 000023
【図１０Ｃ】
2017121033.tif 000024
【図１０Ｄ】
2017121033.tif 000025
【図１１】
2017121033.tif 000026
【図１２Ａ】
2017121033.tif 000027
【図１２Ｂ】
2017121033.tif 000028
【図１３】
2017121033.tif 000029
【図１４】
2017121033.tif 000030
【図１５】
2017121033.tif 000031
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
視聴者が複数のサービスから希望するサービスを選択することを支援するコンテンツブラウザを前記視聴者の操作により起動し、前記コンテンツブラウザが生成するブラウザ映像を映像表示装置に表示させる映像受信装置であって、
前記ブラウザ映像を表示させるまでの間に動画コンテンツを第一態様で表示させ、所定の条件を満たすと、前記第一態様とは異なる第二態様で前記動画コンテンツを前記ブラウザ映像と共に表示させる映像処理部を備える
映像受信装置。
【請求項２】
前記映像処理部は、
前記第一態様として前記映像表示装置の画面の一部に前記動画コンテンツを表示させる請求項１に記載の映像受信装置。
【請求項３】
前記映像処理部は、
前記第一態様で表示される前記動画コンテンツと共に前記コンテンツブラウザに関する情報を表示させる
請求項１に記載の映像受信装置。
【請求項４】
前記映像処理部は、
前記情報を前記動画コンテンツ以外の部分に表示させる
請求項３に記載の映像受信装置。
【請求項５】
前記映像処理部は、
前記動画コンテンツを第一態様で表示させる際に前記動画コンテンツの音声を出力させ、ブラウザ映像に遷移した後も前記音声の続きを出力させる
請求項１に記載の映像受信装置。
【請求項６】
前記コンテンツブラウザは、
第二態様で前記動画コンテンツを表示させる場合、他のサービスの縮小映像と同一画面に同時に表示する許可が得られていない第一サービスの縮小映像を表示させない
請求項１に記載の映像受信装置。
【請求項７】
前記映像処理部は、
前記所定の条件を満たすと、前記第二態様で表示される前記動画コンテンツを指示するカーソルを表示させる
請求項１に記載の映像受信装置。
【請求項８】
前記映像処理部は、
前記第二態様で表示される前記動画コンテンツが終了すると、前記動画コンテンツを指示していたカーソルを所定の第二条件に従って移動させる
請求項７に記載の映像受信装置。
【請求項９】
前記映像処理部は、
前記動画コンテンツを指示していたカーソルを、ポータルサーバ、または、動画配信サーバから入手した前記第二条件に従って移動させる
請求項８に記載の映像受信装置。
【請求項１０】
前記映像処理部は、
前記動画コンテンツを指示していたカーソルが他の場所に移動すると、前記動画コンテンツを表示していた領域に、動画コンテンツを表示させる領域であることを示すアイコンを表示させる
請求項７に記載の映像受信装置。
【請求項１１】
視聴者の操作により、同時刻に視聴可能なサービスを示すアイコン映像の一覧に基づき前記視聴者のサービスの選択を支援するコンテンツブラウザを起動して前記アイコン映像の一覧を含むブラウザ映像を映像表示装置に表示させる映像受信装置の映像表示方法であって、
前記ブラウザ映像を表示させるまでの間に動画コンテンツを第一態様で表示させ、
所定の条件を満たすと、前記第一態様とは異なる第二態様で前記動画コンテンツを前記ブラウザ映像と共に表示させる
映像表示方法。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
視聴者が複数のサービスから希望するサービスを選択することを支援するコンテンツブラウザを前記視聴者の操作により起動し、前記コンテンツブラウザが生成するブラウザ映像を映像表示装置に表示させる映像受信装置であって、
前記ブラウザ映像を表示させるまでの間に動画コンテンツを第一態様で表示させ、前記第一態様で表示される前記動画コンテンツと共に前記コンテンツブラウザに関する情報を表示させ、所定の条件を満たすと、前記第一態様とは異なる第二態様で前記動画コンテンツを前記ブラウザ映像と共に表示させる映像処理部を備える
映像受信装置。
【請求項２】
前記映像処理部は、
前記第一態様として前記映像表示装置の画面の一部に前記動画コンテンツを表示させる請求項１に記載の映像受信装置。
【請求項３】
前記映像処理部は、
前記情報を前記動画コンテンツ以外の部分に表示させる
請求項１に記載の映像受信装置。
【請求項４】
前記映像処理部は、
前記動画コンテンツを第一態様で表示させる際に前記動画コンテンツの音声を出力させ、ブラウザ映像に遷移した後も前記音声の続きを出力させる
請求項１に記載の映像受信装置。
【請求項５】
前記コンテンツブラウザは、
第二態様で前記動画コンテンツを表示させる場合、他のサービスの縮小映像と同一画面に同時に表示する許可が得られていない第一サービスの縮小映像を表示させない
請求項１に記載の映像受信装置。
【請求項６】
前記映像処理部は、
前記所定の条件を満たすと、前記第二態様で表示される前記動画コンテンツを指示するカーソルを表示させる
請求項１に記載の映像受信装置。
【請求項７】
前記映像処理部は、
前記第二態様で表示される前記動画コンテンツが終了すると、前記動画コンテンツを指示していたカーソルを所定の第二条件に従って移動させる
請求項６に記載の映像受信装置。
【請求項８】
前記映像処理部は、
前記動画コンテンツを指示していたカーソルを、ポータルサーバ、または、動画配信サーバから入手した前記第二条件に従って移動させる
請求項７に記載の映像受信装置。
【請求項９】
前記映像処理部は、
前記動画コンテンツを指示していたカーソルが他の場所に移動すると、前記動画コンテンツを表示していた領域に、動画コンテンツを表示させる領域であることを示すアイコンを表示させる
請求項６に記載の映像受信装置。
【請求項１０】
視聴者の操作により、同時刻に視聴可能なサービスを示すアイコン映像の一覧に基づき前記視聴者のサービスの選択を支援するコンテンツブラウザを起動して前記アイコン映像の一覧を含むブラウザ映像を映像表示装置に表示させる映像受信装置の映像表示方法であって、
前記ブラウザ映像を表示させるまでの間に動画コンテンツを第一態様で表示させ、
前記第一態様で表示される前記動画コンテンツと共に前記コンテンツブラウザに関する情報を表示させ、
所定の条件を満たすと、前記第一態様とは異なる第二態様で前記動画コンテンツを前記ブラウザ映像と共に表示させる
映像表示方法。
【手続補正２】
【補正対象書類名】明細書
【補正対象項目名】０００５
【補正方法】変更
【補正の内容】
【０００５】
本開示における映像受信装置は、視聴者が複数のサービスから希望するサービスの選択を支援するコンテンツブラウザと、映像処理部とを備える。コンテンツブラウザは、視聴者の操作により起動される。コンテンツブラウザは、ブラウザ映像を生成し、生成されたブラウザ映像を映像表示装置に表示させる。映像処理部は、ブラウザ映像を表示させるまでの間に動画コンテンツを第一態様で表示させ、第一態様で表示される動画コンテンツと共にコンテンツブラウザに関する情報を表示させ、所定の条件を満たすと、第一態様とは異なる第二態様で動画コンテンツをブラウザ映像と共に表示させる。